(57)【特許請求の範囲】
【請求項１】
電子デバイスのための保護配置であって、
パネルと該パネルを取り囲むスカートとを有する可撓性カバーであって、該パネル及び該スカートが、その間に内部空洞を形成し、該スカートが、該内部空洞と連通する入口開口部を形成し、該内部空洞が、電子デバイスを受け入れるように構成かつ配置された、前記可撓性カバーと、
前記可撓性カバーに固定的に位置決めされたアダプタであって、前記電子デバイスの雌ソケットに嵌合するための配置で該可撓性カバーの前記内部空洞内に延びる複数のコネクタを含む雄プラグと、該可撓性カバーから外向きに隣接して該雄プラグの該コネクタのうちの１又は２以上に電気的に結合された複数の接点を含む接触器とを含む前記アダプタと、
前記可撓性カバーの少なくとも一部分の周りに配置されるように構成かつ配置されたハードシェルであって、前記アダプタの前記接触器がそれを通って延長可能である開口部を含む前記ハードシェルと、
を含み、
前記可撓性カバーは、外部コネクタへの前記アダプタの前記接触器の適正な嵌合を案内するために該アダプタの該接触器の周りにリムを定める位置決めインタフェースを更に含み、前記位置決めインタフェースは、任意的に、前記接触器に隣接して前記可撓性カバーに存在する磁気結合要素を含み、前記磁気結合要素は、磁性材料又は磁気吸引材料のうちの一方を含む、ことを特徴とする保護配置。
【請求項２】
前記ハードシェルは、複数のコーナ開口部を更に含み、前記可撓性カバーは、該ハードシェルの該コーナ開口部から突出するように構成かつ配置された複数のコーナ部分を含むことを特徴とする請求項１に記載の配置。
【請求項３】
前記ハードシェルは、少なくとも１つのボタン開口部を更に含み、前記可撓性カバーは、該ハードシェルの該少なくとも１つのボタン開口部から突出するように構成かつ配置された少なくとも１つのソフトボタンを含むことを特徴とする請求項１又は請求項２のいずれか１項に記載の配置。
【請求項４】
前記ハードシェルは、前記入口開口部の少なくとも一部分の周りに又は該開口部の全体の周りに延びるように構成かつ配置されたスカートを含むことを特徴とする請求項１から請求項３のいずれか１項に記載の配置。
【請求項５】
電子デバイスのための保護配置であって、
前記電子デバイスの少なくとも一部分の周りに配置されるように構成かつ配置されたハードシェルであって、該電子デバイスの入力／出力ソケットへのアクセスを可能にする開口部を含む前記ハードシェルと、
パネルと該パネルを取り囲むスカートとを含む可撓性カバーであって、該パネル及びスカートが、その間に内部空洞を形成し、該スカートが、該内部空洞と連通する入口開口部を形成し、該内部空洞が、前記ハードシェルに配置された前記電子デバイスを受け入れるように構成かつ配置された、前記可撓性カバーと、
前記可撓性カバーに固定的に位置決めされたアダプタであって、前記ハードシェル内の前記開口部を通して前記電子デバイスの前記入力／出力ソケットに嵌合するための配置で該可撓性カバーの前記内部空洞内に延びる複数のコネクタを含む雄プラグと、該可撓性カバーから外向きに隣接して該雄プラグの該コネクタのうちの１又は２以上に電気的に結合した複数の接点を含む接触器とを含む前記アダプタと、
を含み、
前記可撓性カバーは、外部コネクタへの前記アダプタの前記接触器の適正な嵌合を案内するために該アダプタの該接触器の周りにリムを定める位置決めインタフェースを更に含み、前記位置決めインタフェースは、任意的に、前記接触器に隣接して前記可撓性カバーに存在する磁気結合要素を含み、前記磁気結合要素は、磁性材料又は磁気吸引材料のうちの一方を含む、ことを特徴とする保護配置。
【請求項６】
請求項１から請求項５のいずれか１項に記載の保護配置と、
前記保護配置を受け入れるように構成されたトレイと、接触器の複数の接点のうちの１又は２以上に接続するように位置決めされた複数の接点を含むドッキングコネクタとを含むドッキング受け台、
を含むことを特徴とするドッキングシステム。
【請求項７】
パネルと該パネルを取り囲むスカートとを含む可撓性保護シェルであって、該パネル及びスカートが、その間に内部空洞を形成し、該スカートが、該内部空洞と連通する入口開口部を形成し、該内部空洞が、電子デバイスを受け入れるように構成かつ配置される前記可撓性保護シェル、及び
前記可撓性保護シェルに固定的に位置決めされたアダプタであって、前記電子デバイスの雌ソケットに嵌合するための配置で該可撓性保護シェルの前記内部空洞内に延びる複数のコネクタを含む雄プラグと、該可撓性保護シェルの外部に隣接して該雄プラグの該コネクタのうちの１又は２以上に電気的に結合された複数の接点を含む接触器とを含む前記アダプタ、
を含む保護カバーと、
前記保護カバーを受け入れるように構成されたトレイと、該トレイに結合された可動アームと、該可動アームに対向して配置され、かつ前記接触器の前記複数の接点のうちの１又は２以上に接続するように位置決めされた複数の接点を含むドッキングコネクタとを含むドッキング受け台であって、該可動アームが、該可動アームが該トレイから離れるように延びた延長位置と該可動アームが該トレイに近接した近接位置との間の移動のために構成かつ配置される前記ドッキング受け台と、
を含むことを特徴とするドッキングシステム。
【請求項８】
前記可動アームは、前記ドッキング受け台の前記トレイ上に受け入れられた携帯電子デバイスの縁部にわたって適合するように構成かつ配置された前方延長部を含み、
前記前方延長部は、任意的に、前記ドッキング受け台の前記トレイ上に受け入れられた携帯電子デバイスの前面に接触するように構成かつ配置されたリップを含む、
ことを特徴とする請求項７に記載のドッキングシステム。
【請求項９】
前記ドッキング受け台は、前記可動アームに結合されて前記近接位置に向けて付勢されたバネを含むことを特徴とする請求項７又は請求項８のいずれか１項に記載のドッキングシステム。
【請求項１０】
前記保護カバーは、前記可撓性保護シェル上に配置されて前記アダプタの前記接触器の周りにリムを定める位置決めインタフェースを更に含み、前記ドッキング受け台は、該保護カバーの該位置決めインタフェースに嵌合するように構成されたベース受け入れ器を更に含み、
任意的に、前記位置決めインタフェースは、非対称リムを定め、前記ベース受け入れ器は、該ベース受け入れ器が該位置決めインタフェースに嵌合する時に該位置決めインタフェースの該リムに隣接して配置されるように構成かつ配置された非対称リムを定める、
ことを特徴とする請求項７から請求項９のいずれか１項に記載のドッキングシステム。
【請求項１１】
前記保護カバーは、前記可撓性保護シェル上に配置されて前記アダプタの前記接触器の周りにリムを定める位置決めインタフェースを更に含み、前記ドッキング受け台は、該保護カバーの該位置決めインタフェースに嵌合するように構成されたベース受け入れ器を更に含み、
前記位置決めインタフェース及び前記ベース受け入れ器のうちの一方が、雌部分を含み、該位置決めインタフェース及び該ベース受け入れ器のうちの異なる一方が、該雌部分に対して相補的な雄部分を含む、
ことを特徴とする請求項７から請求項１０のいずれか１項に記載のドッキングシステム。
【請求項１２】
パネルと該パネルを取り囲むスカートとを含む可撓性保護シェルであって、該パネル及びスカートが、その間に内部空洞を形成し、該スカートが、該内部空洞と連通する入口開口部を形成し、該内部空洞が、電子デバイスを受け入れるように構成かつ配置される前記可撓性保護シェル、及び
前記可撓性保護シェルに固定的に位置決めされたアダプタであって、前記電子デバイスの雌ソケットに嵌合するための配置で該可撓性保護シェルの前記内部空洞内に延びる複数のコネクタを含む雄プラグと、該可撓性保護シェルの外部に隣接して該雄プラグの該コネクタのうちの１又は２以上に電気的に結合された複数の接点を含む接触器とを含む前記アダプタ、
を含む保護カバーと、
前記保護カバーの前記アダプタに取り付けられるように構成かつ配置された外部アダプタであって、ハウジングと、該ハウジングに配置されて前記接触器の前記複数の接点のうちの１又は２以上に接続するように位置決めされた複数の接点とを含み、前記外部アダプタは、該外部アダプタの残りの部分から離れるように延びて該外部アダプタが前記保護カバーの前記アダプタに係合する時に該保護カバーの該アダプタを把持するように構成かつ配置された少なくとも１つの把持部材を更に含む、前記外部アダプタと、
を含むことを特徴とするドッキングシステム。
【請求項１３】
前記外部アダプタは、少なくとも１つの隆起要素を更に含み、前記保護カバーの前記アダプタは、該外部アダプタを該保護カバーに結合してその結合を維持することができるように該外部アダプタの該少なくとも１つの隆起要素を受け入れるように構成かつ配置された少なくとも１つの戻り止めを含み、
ドッキングシステムが、任意的に、前記少なくとも１つの隆起要素のうちの１つから延び、かつ押された時に該少なくとも１つの隆起要素のうちの該１つを前記保護カバーの前記アダプタの前記戻り止めから解除するように構成かつ配置されたタブを更に含む、
ことを特徴とする請求項１２に記載のドッキングシステム。
【請求項１４】
任意的に、前記少なくとも１つの把持部材は、互いに対向して配置された２つの把持部材を含む、
ことを特徴とする請求項１２又は請求項１３のいずれか１項に記載のドッキングシステム。
【請求項１５】
前記保護カバーの前記アダプタは、外部コネクタへの該アダプタの前記接触器の適正な嵌合を案内するために該アダプタの該接触器の周りにリムを定め、該リムは、真っ直ぐな縁部と該真っ直ぐな縁部に対向する湾曲した縁部とを有する非対称形状を定め、
任意的に、前記２つの把持部材のうちの１つが、前記リムの前記真っ直ぐな縁部に適合する形状を有し、該２つの把持部材のうちの別のものが、該リムの前記湾曲した縁部に適合する形状を有する、
ことを特徴とする請求項１４に記載のドッキングシステム。
【請求項１６】
電子デバイスのための保護カバーであって、
パネルと該パネルを取り囲むスカートとを含む可撓性保護シェルであって、該パネル及びスカートが、その間に内部空洞及び周囲空洞を形成し、該スカートが、該内部空洞と連通する入口開口部を形成し、該内部空洞が、電子デバイスを受け入れるように構成かつ配置され、該周囲空洞が、周辺デバイスを受け入れるように構成かつ配置される前記可撓性保護シェルと、
前記可撓性保護シェルに固定的に位置決めされたアダプタであって、
本体、
前記可撓性保護シェルの外部に隣接して前記本体上に配置されるか又はそこから延びる複数の接点を含む接触器、
前記可撓性保護シェルに固定的に取り付けられた雄プラグであって、前記電子デバイスの雌ソケットに嵌合するための配置で該可撓性保護シェルの前記内部空洞内に延びる複数のコネクタを含む前記雄プラグ、
前記可撓性保護シェルを通って延び、かつ前記接触器の前記接点を前記雄プラグの前記コネクタのうちの１又は２以上に電気的に結合する複数の第１の導体、
前記可撓性保護シェルに固定的に取り付けられた周囲プラグであって、前記周辺デバイスの雌ソケットに嵌合するための配置で該可撓性保護シェルの前記周囲空洞内に延びる少なくとも１つのコネクタを含む前記周囲プラグ、及び
前記本体に結合された担体と、該担体に沿って延びて前記接触器の前記接点を前記周囲プラグの前記コネクタのうちの１又は２以上に電気的に結合する複数の第２の導体とを含むブリッジ、
を含む前記アダプタと、
を含むことを特徴とする保護カバー。
【請求項１７】
前記アダプタは、前記複数の第１の導体の周りに、かつ前記雄プラグが密封ハウジングから延びる状態で前記接触器の前記本体に隣接して配置された密封ハウジングを更に含むことを特徴とする請求項１６に記載の保護カバー。
【請求項１８】
前記アダプタは、前記周囲プラグが密封ハウジングから延びる状態で前記ブリッジの一部分と第２の導体との周りに配置された密封ハウジングを更に含むことを特徴とする請求項１６又は請求項１７に記載の保護カバー。
【請求項１９】
前記周囲空洞は、前記周辺デバイスを前記入口開口部及び前記内部空洞を通して該周囲空洞に挿入することができるように前記可撓性保護シェルの該内部空洞に隣接していることを特徴とする請求項１６から請求項１８のいずれか１項に記載の保護カバー。
【請求項２０】
前記周囲空洞内への前記周辺デバイスの挿入のために構成かつ配置された前記パネル又は前記スカート内の周囲開口部を定めることを特徴とする請求項１６から請求項１８のいずれか１項に記載の保護カバー。
【請求項２１】
前記担体は、少なくとも０．４ｍｍの厚みを有することを特徴とする請求項１６から請求項２０のいずれか１項に記載の保護カバー。
【請求項２２】
電子デバイスのための保護カバーであって、
パネルと該パネルを取り囲むスカートとを含む可撓性保護シェルであって、該パネル及びスカートが、その間に内部空洞及び周囲空洞を形成し、該スカートが、該内部空洞と連通する入口開口部を形成し、該内部空洞が、電子デバイスを受け入れるように構成かつ配置され、該周囲空洞が、周辺デバイスを受け入れるように構成かつ配置される前記可撓性保護シェルと、
前記可撓性保護シェルに固定的に位置決めされたアダプタであって、
本体、
前記可撓性保護シェルの外部に隣接して前記本体上に配置された複数の接点を含む接触器、
前記可撓性保護シェルに固定的に取り付けられた雄プラグであって、前記電子デバイスの雌ソケットに嵌合するための配置で該可撓性保護シェルの前記内部空洞内に延びる複数のコネクタを含む前記雄プラグ、及び
複数の第１の導体の周りに、かつ前記雄プラグが密封ハウジングから延びる状態で前記接触器の前記本体に隣接して配置された密封ハウジング、
を含む前記アダプタと、
を含むことを特徴とする保護カバー。
【請求項２３】
前記可撓性保護シェル上に配置され、かつ外部コネクタへの前記アダプタの前記接触器の適正な嵌合を案内するために該アダプタの該接触器の周りにリムを定める位置決めインタフェースを更に含み、
前記リムは、任意的に、非対称形状を定める、
ことを特徴とする請求項１６から請求項２２のいずれか１項に記載の保護カバー。
【請求項２４】
前記位置決めインタフェースは、前記コネクタに隣接して前記可撓性保護シェルに存在する磁気結合要素を含み、
前記磁気結合要素は、磁性材料又は磁気吸引材料のうちの一方を含む、
ことを特徴とする請求項２３に記載の保護カバー。
【請求項２５】
請求項１６から請求項２４のいずれか１項に記載の保護カバーと、
前記保護カバーを受け入れるように構成されたトレイと接触器の複数の接点のうちの１又は２以上に接続するように位置決めされた複数の接点を含むドッキングコネクタとを含むドッキング受け台と、
を含むことを特徴とするドッキングシステム。
【請求項２６】
前記保護カバーは、前記可撓性保護シェル上に配置されてアダプタの接触器の周りにリムを定める位置決めインタフェースを更に含み、前記ドッキング受け台は、該保護カバーの該位置決めインタフェースに嵌合するように構成されたベース受け入れ器を更に含むことを特徴とする請求項２５に記載のドッキングシステム。
【発明の詳細な説明】
【技術分野】
【０００１】
〔関連出願への相互参照〕
この特許出願は、全てが引用により本明細書に組み込まれている２０１５年６月２９日出願の米国特許出願第１４／７５４，４９２号の一部継続出願である２０１５年８月１８日出願の米国特許出願第１４／８２９，３７８号の一部継続出願である２０１５年１１月９日出願の米国特許出願第１４／９３６，５１７号の一部継続出願である２０１６年６月２８日出願の米国特許出願第１５／１９５，１７６号の継続出願である。
【０００２】
本発明は、携帯電子デバイスを保護するためのカバー、特に、デバイスをドッキングステーションに結合するための電気アダプタを有する可撓性カバーに関する。
【背景技術】
【０００３】
スマートフォン又はタブレット又は別の携帯電子デバイスのような携帯電子デバイスを保護するための保護カバー又は「スキン」は、一般的に公知である。このようなスキンは、典型的には、それらをデバイスに巻き付けてそれを部分的に包むことを可能にする幾らか可撓性である。
【先行技術文献】
【特許文献】
【０００４】
【特許文献１】米国特許第５，９９２，８０７号明細書
【特許文献２】米国特許第６，１４９，１１６号明細書
【特許文献３】米国特許第５，８９５，０１８号明細書
【発明の概要】
【発明が解決しようとする課題】
【０００５】
しかし、公知の保護カバー又は「スキン」は、それらの機能においてそのような携帯電子デバイスの効率的かつ信頼性の高い使用を提供するのに制限されている。
【課題を解決するための手段】
【０００６】
本発明は、そのような携帯電子デバイスの効率的かつ信頼性の高い使用に関する従来技術の限界を克服する携帯電子デバイスを保護するためのカバーである。
【０００７】
本発明の一態様は、パネル及びパネルを取り囲むスカートを有し、パネル及びスカートが、その間に内部空洞を形成し、スカートが、電子デバイスを受け入れるように構成かつ配置された内部空洞と連通する入口開口部を形成する可撓性カバーと、可撓性カバーに固定的に位置決めされ、かつデバイスの雌ソケットに嵌合するための配置で可撓性カバーの内部空洞内に延びるコネクタを有する雄プラグと可撓性カバーから外向きに隣接してプラグのコネクタのうちの１又は２以上に電気的に結合された接点を有する接触器とを有するアダプタと、可撓性保護カバーの少なくとも一部分の周りに配置されるように構成かつ配置され、かつアダプタの接触器がそれを通って延長可能である開口部を有するハードシェルとを含む電子デバイスのための保護配置である。ハードシェルはまた、コーナ開口部を含むことができ、可撓性カバーは、ハードシェルのコーナ開口部から突出するように構成かつ配置されたコーナ部分を含むことができる。ハードシェルは、少なくとも１つのボタン開口部を含むことができ、可撓性カバーは、ハードシェルの少なくとも１つのボタン開口部から突出するように構成かつ配置された少なくとも１つのソフトボタンを含むことができる。
【０００８】
本発明の別の態様は、電子デバイスの少なくとも一部分の周りに配置されるように構成かつ配置され、かつ電子デバイスの入力／出力ソケットへのアクセスを可能にする開口部を有するハードシェルと、パネル及びパネルを取り囲むスカートを有し、パネル及びスカートが、その間に内部空洞を形成し、スカートが、ハードシェルに配置された電子デバイスを受け入れるように構成かつ配置された内部空洞と連通する入口開口部を形成する可撓性カバーと、可撓性カバーに固定的に位置決めされ、かつハードシェル内の開口部を通してデバイスの入力／出力ソケットに嵌合するための配置で可撓性カバーの内部空洞内に延びるコネクタを有する雄プラグと可撓性カバーから外向きに隣接してプラグのコネクタのうちの１又は２以上に電気的に結合した接点を有する接触器とを含むアダプタとを含む電子デバイスのための保護配置である。
【０００９】
本発明の更に別の態様は、上述の保護配置と、保護配置を受け入れるように構成されたトレイと接触器の接点のうちの１又は２以上に接続するように位置決めされた接点を有するドッキングコネクタとを有するドッキング受け台とのうちの一方を含むドッキングシステムである。
【００１０】
本発明の他の態様を本明細書に詳述する。
【００１１】
本発明の上述の態様及び付随する利点の多くは、それが添付図面と併せた時に以下の詳細説明を参照することによってより良く理解されることになるので、より容易に認められることになるであろう。
【図面の簡単な説明】
【００１２】
【図１】ドッキングコネクタのためのポートを有する従来技術のスマートフォン又はタブレット又は別の携帯電子デバイスのようなターゲット携帯電子デバイスを部分的に包む時に原位置で完全一体式ワンピースエラストマー保護カバー又はスキンとして限定ではなく例示的に具現化された本発明を示す図である。
【図２】ドッキングコネクタのためのポートを有する従来技術のスマートフォン又はタブレット又は別の携帯電子デバイスのようなターゲット携帯電子デバイスを部分的に包む時に原位置で完全一体式ワンピースエラストマー保護カバー又はスキンとして限定ではなく例示的に具現化された本発明を示す図である。
【図３】本発明の保護カバーに有用なタイプのドッキング受け台を限定ではなく例示的に説明する図である。
【図４】本発明の保護カバーに有用なタイプのドッキング受け台を限定ではなく例示的に説明する図である。
【図５】本発明の保護カバーに有用なタイプのドッキング受け台を限定ではなく例示的に説明する図である。
【図６】明確にするために携帯デバイスを取り外した図１の保護カバーを限定ではなく例示的に示す、図７とは異なる図である。
【図７】明確にするために携帯デバイスを取り外した図１の保護カバーを限定ではなく例示的に示す、図６とは異なる図である。
【図８】本発明の電気アダプタを通して取った図１の保護カバーの部分断面図である。
【図９】ターゲット携帯電子デバイスを部分的に包む時に原位置で図１のエラストマー保護カバーを示す図である。
【図１０】ターゲットデバイスが図９に示すような本発明の可撓性保護シェルの内部空洞内に受け入れられた時に電気アダプタの雄プラグの複数の電気コネクタがターゲット電子デバイスの雌入力／出力ソケットと機械的かつ電気的に嵌合することを示す図である。
【図１１】ターゲット携帯電子デバイスが図１の保護カバーの可撓性保護シェル内に受け入れられ、保護されたターゲット携帯電子デバイスがその後にドッキング受け台に挿入されることを示す図である。
【図１２】感圧タッチスクリーンを有する携帯電子デバイスと共に使用するために保護シェルの少なくとも可撓性中央パネルが実質的に光学透明な可撓性膜で形成された一体式窓パネルである図１の保護カバーの可撓性保護シェルを示す図である。
【図１３】携帯電子デバイスが、図１の保護カバーの可撓性保護シェル内に受け入れられ、ターゲット電子デバイスのタッチ感応スクリーンが、図１２に開示するような中央パネルの一体式透明窓パネルに接触して位置決めされ、保護された携帯電子デバイスが、その後にドッキング受け台に挿入され、タッチ感応スクリーンが、そこから離れるように外向きに向くことを示す図である。
【図１４】保護シェルが、タッチ感応スクリーンを有する携帯電子デバイスと共に使用するための内部透明窓パネルを用いて形成され、電気アダプタの雄プラグが、携帯電子デバイスの雌Ｉ／Ｏソケットの電気接点とのインタフェースを形成していることを示す図１２に示すような図１の保護カバーの拡大断面図である。
【図１５】図１の保護カバーが、図１２に示すようなタッチ感応スクリーンを有する携帯電子デバイスと共に使用するための内部透明窓パネルを用いて形成され、内部窓パネルが、携帯電子デバイスのタッチ感応スリーンと並置されるように位置決めされ、保護シェルの側面スカートを通過する入口開口部が、その一方の側に隣接して透明窓パネルと保護シェルの対向するパネルの間に位置決めされることを示す図である。
【図１６】図１の保護カバーの電気アダプタが、その雄プラグの複数の電気コネクタの連続的に順序付けられた対とその接触器の対応する電気接点との間で電気カプリングを有する通過電気アダプタとして構成されることを示すブロック図である。
【図１７】図１の保護カバーの電気アダプタが、その雄プラグの複数の電気コネクタの不連続に順序付けられた対とその接触器の対応する電気接点との間で電気カプリングを有する変換電気アダプタとして構成される代替実施形態を示すブロック図である。
【図１８】保護シェルの異なる区域に位置付けられた２つの個々のアダプタプラグ及び接触器本体にその雄プラグ及び接触器が分離されるように構成された変換アダプタを有する図１の保護カバーの電気アダプタを示す図である。
【図１９】電気アダプタの個々のプラグ及び接触器本体が例えば細長電気ケーブル、ワイヤ、又は他の導体によって保護カバーの保護シェル内で相互接続されているところを示す図１の保護カバーの断面図である。
【図２０】電気アダプタの個々のプラグ及び接触器本体が例えば細長電気ケーブル、ワイヤ、又は他の導体によって保護カバーの保護シェル内で相互接続されているところを示す図１の保護カバーの断面図である。
【図２１】エラストマーシェルの異なる区域で図１の保護カバーの側面スカートに各々が位置付けられた複数の雄プラグ（２つが示されている）に分離されるように構成された変換アダプタを示す図である。
【図２２】以下の図でより明瞭に示すように変換アダプタの接触器から分離してそこから離間した変換アダプタの雄プラグを有する図１の保護カバーを示す図である。
【図２３】可撓性中央パネルの外面上に設けられた変換アダプタの接触器を有する一方、ドッキング受け台が、これに代えてそのように位置決めされた接触器と結合するための位置にそのドッキングコネクタを位置決めするように構成された図１の保護カバーを示す図である。
【図２４】ドッキング受け台が、ドッキング受け台に保護カバーを固定するために保護カバーとドッキング受け台の間で作動可能な磁気吸引カップルの一部品（図示の磁石）を含む、図２５に示すように可撓性中央パネルの外面に設けられた変換アダプタの接触器を有する図１の保護カバーを受け入れるための雌入れ子を有して構成されたドッキング受け台の一実施形態を示す図である。
【図２５】保護カバーが、保護カバーをドッキング受け台に固定するために保護カバーとドッキング受け台の間で作動可能な前記磁気吸引カップルの一部品（図示の透磁性強磁性部材）を含む、図２４に示すドッキング受け台実施形態の雌入れ子に着座するように構成された相補的雄入れ子付属品として構成されたロケータダムを用いて形成された図１の保護カバーの単体保護シェルを示す図である。
【図２６】保護カバーの相補的雄入れ子付属品が、ドッキング受け台の雌入れ子と入れ子になり、保護カバー及びドッキング受け台の各々に存在する磁気吸引カップルの部分が、ドッキング受け台に保護カバーのシェルを固定するように作動可能であり、図２５に示すような図１の保護カバーのエラストマーシェルが、図２４に示すドッキング受け台実施形態のトレイに着座することを示す断面図である。
【図２７】磁気吸引カップルの構成要素が、保護カバーとドッキング受け台間で反転され、すなわち、透磁性部材が、ドッキング受け台内の磁石の代わりに置き換えられる一方、磁石が保護カバー内の透磁性部材の代わりに置き換えられた透磁性部材を有して構成されたドッキング受け台を示す、図２５に示すような図１の保護カバーの代替実施形態を図２８及び図２９と共に示す図である。
【図２８】磁気吸引カップルの構成要素が、保護カバーとドッキング受け台間で反転され、すなわち、透磁性部材が、ドッキング受け台内の磁石の代わりに置き換えられる一方、磁石が保護カバー内の透磁性部材の代わりに置き換えられた磁石を有して構成された保護カバーを示す、図２５に示すような図１の保護カバーの代替実施形態を図２７及び図２９と共に示す図である。
【図２９】磁気吸引カップルの構成要素が、保護カバーとドッキング受け台間で反転され、すなわち、透磁性部材が、ドッキング受け台内の磁石の代わりに置き換えられる一方、磁石が保護カバー内の透磁性部材の代わりに置き換えられ、図２８に示すような図１の保護カバーが図２７に示すドッキング受け台実施形態のトレイに着座することを示す断面図であって図２５に示すような図１の保護カバーの代替実施形態を図２７及び図２８と共に示す図である。
【図３０】雄入れ子付属品及び合わせ雌入れ子によって形成された図２８に示すような図１の保護カバーの位置決めインタフェース特徴部が反転され、図２５の保護カバーが、雌入れ子位置決めインタフェース特徴部を有して構成されることを示す、図２５に示すような図１の保護カバーと図２４のドッキング受け台とを協働させる代替実施形態を図３１及び図３２と共に示す図である。
【図３１】雄入れ子付属品及び合わせ雌入れ子によって形成された図２８に示すような図１の保護カバーの位置決めインタフェース特徴部が反転され、図２４のドッキング受け台が、相補的雄入れ子位置決めインタフェース特徴部を有して構成されることを示す、図２５に示すような図１の保護カバーと図２４のドッキング受け台とを協働させる代替実施形態を図３０及び図３２と共に示す図である。
【図３２】雄入れ子付属品及び合わせ雌入れ子によって形成された図２８に示すような図１の保護カバーの位置決めインタフェース特徴部が反転され、図３０に示すような図１の保護カバーが図３１に示すドッキング受け台実施形態のトレイに嵌合することを示す断面図であって図２５に示すような図１の保護カバーと図２４のドッキング受け台とを協働させる代替実施形態を図３０及び図３１と共に示す図である。
【図３３】相補的雄入れ子付属品が、図１１に示すものと同様にドッキング受け台のベース受け入れ器の雌入れ子内に受け入れられるように図６に示すものと同様に保護シェルの側面スカート内の位置決めインタフェースダム１３２として構成され、対照的に、保護シェルの外部の位置決めインタフェースダムが、変換アダプタの雄プラグから離間し、そのプラグが、本明細書に開示するように変換アダプタの接触器及び接点から離れてシェルの異なる側面スカート内の位置で保護シェル内に延び、相補的雄入れ子付属品が、磁気吸引カップルの１又は２以上の磁石を用いて更に構成された図１８から２０に示すような図１の保護カバーを示す図である。
【図３４】透磁性部材が磁気吸引カップルの磁石の代わりに置き換えられて電子デバイスが設置された図３３に示すような図１の保護カバーを示す図である。
【図３５】電気アダプタの雄プラグ及び接触器が保護シェルの側面スカートの異なる区域内で離間し、相補的雄入れ子付属品が、磁気吸引カップルの１又は２以上の磁石を用いて更に構成された図３３に示すような図１の保護カバーを通して取った断面図である。
【図３６】電気アダプタの雄プラグ及び接触器が、保護シェルの側面スカートの異なる区域内で離間し、透磁性部材が磁気吸引カップルの磁石の代わりに置き換えられた図３４に示すような図１の保護カバーを通して取った断面図である。
【図３７】例えばドッキングコネクタの付勢電気接点のいずれかの側の隣接位置に露出された１又は２以上の強磁性部材を含むドッキング受け台内のベース受け入れ器の雌入れ子特徴部を示す図である。
【図３８】１又は２以上の磁石が、図３７に示すようにドッキングコネクタの付勢電気接点のいずれかの側の隣接位置にある強磁性部材の代わりに置き換えられた代替ベース受け入れ器の雌入れ子特徴部を示す図３７を通して取った断面図である。
【図３９】カバーのアダプタの接点配置の一実施形態を示す側面図である。
【図４０】カバー内で使用するためのアダプタの一実施形態の斜視図である。
【図４１】カバーのアダプタの接点配置の別の実施形態を示す側面図である。
【図４２】周囲空洞を含むカバーの斜視図である。
【図４３】異なる角度からの図４２のカバーの斜視図である。
【図４４】周辺デバイスを周囲空洞に配置した図４２のカバーの斜視図である。
【図４５】携帯電子デバイスを内部空洞に配置した図４２のカバーの斜視図である。
【図４６】周辺デバイスがカバーの周囲空洞にかつ携帯電子デバイスが内部空洞にある図４２のカバーの背面を示す斜視図である。
【図４７】別のドッキング受け台の斜視図である。
【図４８】モバイル電話のような携帯電子デバイスがカバー内にあり、かつ受け台上に配置された独立型ドッキング受け台の斜視図である。
【図４９】タブレットのような携帯電子デバイスがカバー内にあり、かつ受け台上に配置された壁装着式ドッキング受け台の斜視図である。
【図５０Ａ】可撓性カバーとハードシェルとを有する保護配置の斜視正面図である。
【図５０Ｂ】図５０Ａの保護配置の斜視背面図である。
【図５１Ａ】携帯電子デバイス、カバー、及び外部アダプタの一実施形態の斜視正面図である。
【図５１Ｂ】外部アダプタをカバーから切り離した携帯電子デバイス、カバー、及び外部アダプタの斜視図である。
【図５１Ｃ】図５１Ａ及び５１Ｂの電子デバイス、カバー、及び外部アダプタの一部分の拡大斜視図である。
【図５１Ｄ】外部アダプタの一部分を切り取った図５１Ａ及び５１Ｂの電子デバイス、カバー、及び外部アダプタの一部分の拡大斜視図である。
【図５２Ａ】可動アームが延長位置にあるドッキング受け台の一実施形態の斜視正面図である。
【図５２Ｂ】図５２Ａのドッキング受け台の切り欠き側面図である。
【図５２Ｃ】可動アームが近接位置にある図５２Ａのドッキング受け台の斜視正面図である。
【図５２Ｄ】図５２Ｃのドッキング受け台の切り欠き側面図である。
【図５２Ｅ】携帯電子デバイス及びカバーがドッキング受け台によって受け入れられた図５２Ａのドッキング受け台の斜視正面図である。
【図５２Ｆ】図５２Ｅのドッキング受け台の切り欠き側面図である。
【図５３】更に別のドッキング受け台の斜視図である。
【図５４Ａ】複数の電子デバイス及びカバーを収容することができるドッキング受け台の斜視図である。
【図５４Ｂ】複数の電子デバイス及びカバーがドッキングされた図５４Ａのドッキング受け台の斜視図である。
【図５５Ａ】カバー内で使用するためのアダプタの別の実施形態の斜視図である。
【図５５Ｂ】図５５Ａのアダプタを有するカバーの一実施形態の斜視図である。
【図５６Ａ】周囲空洞を有するカバーの一実施形態の斜視図である。
【図５６Ｂ】カバーの一部分を切り取った図５６Ａのカバーの斜視図である。
【図５７Ａ】周囲空洞を有する図５６Ａのカバーのようなカバー内で使用するためのアダプタの斜視図である。
【図５７Ｂ】異なる角度からの図５７Ａのアダプタの斜視図である。
【発明を実施するための形態】
【００１３】
要求されるように、本発明の保護内容の詳細な例示的実施形態を本明細書に開示する。しかし、本発明の保護内容による技術、システム、及び作動構造は、広範な形態及びモードに具現化することができ、その一部は、開示する実施形態のものとはかなり異なる場合がある。その結果、本明細書に開示する特定の構造的かつ機能的な詳細は単なる代表例であるが、その観点からは、それらは、開示目的のための最良の実施形態を提供し、本発明の保護内容の範囲を定める本明細書の特許請求の範囲に関する基礎を提供すると見なされる。以下では、本発明の保護内容の例示的実施形態（並びに一部の代替実施形態）の詳細説明を提示する。
【００１４】
図面では、同じ数字は同じ要素を示す。
【００１５】
図１及び図２は、ドッキングコネクタ３のためのポートを有するスマートフォン又はタブレット又は従来技術の別の携帯電子デバイスのような携帯電子デバイス１を部分的に包む時の原位置での本発明の完全一体式ワンピースエラストマー保護カバー又はスキン１００を示している。本発明のカバー１００は、カバー１００が手術手袋のようなデバイス１に適合するようにスマートフォン、タブレット、又は他の携帯電子デバイス１の上に適合して緊密に一致するような大きさ及び形状に以下に限定されるものではないがビニルのような適切な弾性又は可撓的弾力性エラストマーから成形されたシースである。
【００１６】
スマートフォン又は賢い電話は、基本機能の電話よりも高度な計算機能と接続性を有するモバイル電話である。初期のスマートフォンは、一般的に、モバイル電話の機能を携帯情報端末（ＰＤＡ）、メディアプレーヤ、デジタルカメラ、及び／又はＧＰＳナビゲーションユニットのような他の普及した消費者向けデバイスの機能と組み合わせていた。現代のスマートフォンにはそれら機能の全てが組み込まれ、更に、典型的にウェブ閲覧、Ｗｉ−Ｆｉ、及び第三者アプリ及び付属品を含めてタッチスクリーン型コンピュータの追加機能が組み込まれている。今日最も一般的なスマートフォンは、ＧｏｏｇｌｅのＡｎｄｒｏｉｄ及びＡｐｐｌｅのｉＯＳモバイルオペレーティングシステムによって駆動されている。例えば、Ｗｉｋｉｐｅｄｉａ、Ｔｈｅ  Ｆｒｅｅ  Ｅｎｃｙｃｌｏｐｅｄｉａを参照されたい。
【００１７】
タブレットコンピュータ又は単にタブレットは、ディスプレイ、回路、及びバッテリを単一ユニットにしたモバイルコンピュータである。タブレットは、カメラ、マイクロフォン、加速度計、及びタッチスクリーンを含むセンサを備え、指又はスタイラスの動作がコンピュータのマウス及びキーボードに取って代わる。タブレットは、例えば、スピーカの音量、ネットワーク通信のための電力及びポートのような基本的な機能を制御するためのかつバッテリを充電するための物理的なボタンを含むことができる。画面上のポップアップ仮想キーボードは、典型的にタイピングに使用される。タブレットは、一般的に、対角線方向に測定して７インチ（１８ｃｍ）以上でスマートフォン及び携帯情報端末よりも大きい。タブレットの一例は、ＡｐｐｌｅのｉＰａｄ（登録商標）タブレットコンピュータである。例えば、Ｗｉｋｉｐｅｄｉａ、Ｔｈｅ  Ｆｒｅｅ  Ｅｎｃｙｃｌｏｐｅｄｉａを参照されたい。
【００１８】
切り離し可能なキーボードを有するハイブリッドタブレットは、１９９０年代半ば以来販売されている。交換可能タッチスクリーン式ノート型コンピュータは、回り継手又はスライド継手で隠すことができるキーボードを有する。ブックレット型タブレットは、二重タッチスクリーンを含み、ディスプレイの１つに仮想キーボードを表示することによってノートとして使用することができる。例えば、Ｗｉｋｉｐｅｄｉａ、Ｔｈｅ  Ｆｒｅｅ  Ｅｎｃｙｃｌｏｐｅｄｉａを参照されたい。
【００１９】
他の携帯電子デバイスは、例えば、試験機器（例えば、オームメータ、マルチメータ、位置合わせツール、バッテリ試験器、キャリブレータ、距離計、照度計、圧力計、放射線検出器、温度計など）、カメラ、又はメディアプレーヤなどを含むことができる。少なくとも一部の実施形態では、携帯電子デバイスは、例えば、温度、圧力、レベリング、角度、高度、光、密度、Ｘ線、磁場、加速度、速度、速度、距離、エネルギ、電流又はエネルギ流れ、力、デュロメータ、質量／重量、トルク、抵抗、キャパシタンス、電圧、又はリアクタンスなど、又はそれらのあらゆる組合せを検出するためのセンサを含む。
【００２０】
本明細書に開示するように、電気アダプタは保護カバー１００の一部であり、電気アダプタは、スマートフォン又は他の携帯電子デバイス１の雌入力／出力ソケットに嵌合するための配置で保護カバー１００によって形成された空洞内に延びる複数の電気コネクタを有する雄プラグと、保護カバー１００の外向きに隣接して位置決めされて雄プラグのコネクタのうちの１又は２以上に電気的に結合される複数の電気接点を有する接触器とを含む。
【００２１】
従って、可撓性保護カバー１００の空洞内に電子デバイス１が受け入れられた時に、雄プラグの複数のコネクタはデバイス１の雌ソケットに嵌合する。その後、雌入力／出力ソケットは、保護カバー１００の外側にある接触器の複数の接点を通して電気的にアクセスされる。
【００２２】
電子デバイス１がそこに設置された保護カバー１００は、次に、それ自体の複数の接点を有するドッキングコネクタ３を含むドッキング受け台５に挿入される。ドッキングコネクタは、その複数の接点のうちの１又は２以上が接触器の接点と電気的に結合した状態で、電気アダプタの接触器に接続される。従って、電子デバイス１の入力／出力ソケットは、保護カバー１００の電気アダプタを通してドッキング受け台５のドッキングコネクタによって電気的にアクセスされる。
【００２３】
図３、図４、及び図５は、保護カバー１００で役立つタイプのドッキング受け台５を例示するが、これに限定されない。例えば、ドッキング受け台５は、カバー１００内に既に保護されている特定のスマートフォン、タブレット、又は他の携帯電子デバイス１を受け入れるようなサイズに作られたベース受け入れ器９を有するトレイ７を有する。トレイ７は、カバー１００の背面を支持する背面支持面１０１と、背面支持面から離れて延びるドッキング支持面１０３とを含む。背面支持面１０１とドッキング支持面１０３は、９０〜１３０度の範囲又はそれを超える角度を形成することができる。
【００２４】
ドッキングコネクタ３はドッキング受け台５に設けられ、多くの場合にトレイ７のベース受け入れ器９の中心に設けられる。ドッキングコネクタ３は、特定の携帯電子デバイス１に固有のものとすることができ、又はデバイス１のタイプに汎用なものとすることができる。ドッキングコネクタ３は複数の付勢電気接点１１を含み、典型的には付勢ポゴピン、又は付勢板バネ接点を含む。電気接点１１は、ドッキング受け台５に結合された電気ワイヤ又はケーブル１５内のリード１３に結合される。ドッキングコネクタ３は、図３−５に示すような雌コネクタとすることができ、リム１０５を定めることができる。リム１０５をドッキング支持面１０３に対して凹ませることができる。
【００２５】
ドッキングコネクタ３はまた、本明細書に開示するように、電気アダプタの接触器内で合わせガイドピン受け入れ器に嵌合するようになった任意的なガイドピン１７を含むことができる。
【００２６】
ドッキング受け台５は、必要に応じて、トレイ７のベース受け入れ器９内に特定の携帯電子デバイス１を捕捉するようになったクランプ１９を含む。クランプ１９はまた、圧縮構成要素、すなわち、接触器の電気接点を保護カバー１００の外側に押圧してドッキングコネクタ３の電気接点と接触させるように作動するアーム２１を有する。
【００２７】
図６及び図７は、明瞭にするために携帯電子デバイス１を取り外した本発明の保護カバー１００を示している。保護カバー１００は、携帯電子デバイス１と形状が相補的である。保護カバー１００は、一体式可撓性側面スカート１０６によって囲まれた可撓性中央パネル１０４を有する可撓性単体保護シェル１０２から形成されている。パネル１０４及びスカート１０６は結合してそれらの間に内部空洞１０８を形成し、その内部空洞１０８は、携帯電子デバイス１の側面と前面及び背面のうちの少なくとも一方とを少なくとも部分的に覆い、更に携帯電子デバイス１の前面及び背面のうちの他方の周縁に延びるようなサイズに作られている。連続一体式リップ１１０は、側面スカート１０６の内側に延び、空洞１０８と連通する入口開口部１１２を形成する。入口開口部１１２は、それを通して電子デバイス１を空洞１０８に受け入れるようなサイズに作られる。
【００２８】
保護カバー１００は、側面スカート１０６に固定的に位置決めされたアダプタ１１４を含む。例えば、アダプタ１１４は、側面スカート１０６を通してオーバーモールドされ、結合され、又は締結される。アダプタ１１４は、携帯電子デバイス１の雌入力／出力ソケットに嵌合するための配置でシェル１０２の空洞１０８内に延びる複数の電気コネクタ１１８を有する雄プラグ１１６で形成される。アダプタ１１４はまた、図８及び９に示すように、アダプタ１１４の反対端に雄プラグ１１６から離間した複数の電気接点１２２を有する接触器１２０を含む。アダプタ１１４は、保護シェル１０２を通って、例えば、中央パネル１０４又は側面スカート１０６（図示）のいずれかを通って延びる。従って、雄プラグ１１６はシェル１０２の空洞１０８内に延びるが、接触器１２０及びその接点１２２はシェル１０２の外側１２４に隣接して位置決めされ、それによって複数の電気接点は、ドッキングコネクタ３の電気接点１１への接続のために露出される。
【００２９】
図８は、電気アダプタ１１４を通して取った保護カバー１００の部分断面図である。図示のように、接触器１２０の電気接点１２２は、アダプタ１１４の本体１２８に埋め込まれた電気ケーブル、ワイヤ、トレース、又は他の導体１２６（明確にするためにその１つが示されている）を通してプラグ１１６の１又は２以上の電気コネクタ１１８に電気的に結合される。アダプタ１１４の接触器１２０は、任意的に、存在する場合にドッキングコネクタ３の任意的なガイドピン１７に嵌合するように大きさ及び位置を決定した１又は２以上のガイドピン受け入れ器１３０を用いて形成される。
【００３０】
任意的に、アダプタ１１４の接触器１２０は、更に、単体保護シェル１０２の外面１２４に凹設される。例示的かつ非限定的に、任意的なダム１３２が単体保護シェル１０２の外面１２４に形成され、アダプタの接触器１２０は、更に、ダム１３２内に凹設される。接触器１２０の電気接点１２２は、ダム１３２内に又は他に単体保護シェル１０２の外面１２４内に凹設されることによって損傷から保護される。
【００３１】
図９は、携帯電子デバイス１を部分的に包む時に原位置で本発明のエラストマー保護カバー１００を示す図である。ここでは、携帯電子デバイス１は、空洞１０８と連通する入口開口部１１２を通して可撓性保護シェル１０２の空洞１０８内に受け入れられる。電子デバイス１は、空洞１０８と連通する側面スカート１０６を通る連続一体式リップ１１０の入口開口部１１２を通って可撓性保護シェル１０２に挿入される。電子デバイス１の前面２３（図示）又は背面のうちの一方は、入口開口部１１２に露出される。ここでは、携帯電子デバイス１のタッチ感応スクリーン又は他のディスプレイ２５が、ユーザによる作動を容易にするために入口開口部１１２に露出される。
【００３２】
図１０は、携帯電子デバイス１が図９に示すような可撓性保護シェルの空洞１０８内に受け入れられた時に、雄プラグ１１６の複数の電気コネクタ１１８がデバイス１の雌入力／出力ソケットと機械的かつ電気的に嵌合することを示している。従って、雄プラグ１１６と雌入力／出力ソケット２７との嵌合により、単体保護シェル１０２の外面１２４からの携帯電子デバイス１の電力、センサ、及び／又は他の機能へのアクセスが作り出される。
【００３３】
図１１は、携帯電子デバイス１が保護カバー１００の可撓性保護シェル１０２内に受け入れられ、携帯電子デバイス１をそこに有する保護カバーがその後にドッキング受け台５に挿入されることを示している。ドッキング受け台５のドッキングコネクタ３は、その複数の付勢電気接点のうちの１又は２以上が電気アダプタ１１４の接触器１２０の電気接点と電気的に結合した状態でアダプタの接触器１２０に接続される。従って、携帯電子デバイス１は、従来技術の保護カバーで必要とされるように保護カバー又は「スキン」１００から最初に取り外すことなく、ドッキング受け台５を通してアクセスされる。クランプ１９が存在する場合に、それを押圧することは、アダプタの接触器１２０の電気接点１２２とドッキングコネクタ３の電気接点１１との間の電気的接続を維持する助けになる。
【００３４】
図１２は、ディスプレイ２５を有する電子デバイス１の前面に中央パネル１０４を隣接させて電子デバイス１上で逆転させた保護カバー１００を示している。保護シェル１０２は、中央パネル１０４の実質的に向かい側に位置する空洞１０８と連通する入口開口部１１２を用いて形成される。連続一体式リップ１１０は、側面スカート１０６の内方に延び、空洞１０８と連通する入口開口部１１２を形成する。
【００３５】
ここでは、窓開口部１３４は、入口開口部１１２に対向する可撓性保護シェル１０２の可撓性中央パネル１０４に、及び携帯電子デバイス１の作動のために携電子デバイス１のタッチ感応スクリーンディスプレイ２５上方の位置に形成される。
【００３６】
保護シェル１０２の中央パネル１０４は、空洞１０８と連通する内部窓開口部１３４を用いて形成される。内部窓開口部１３４は、それを通して空洞１０８に存在する携帯電子デバイス１の感圧タッチスクリーン２５を見せるように位置決めされ、かつそのようなサイズにされる。連続一体式リップ１３６が、中央パネル１０４の周囲回りを側面スカート１０６の内方に延びて内部窓開口部１３４を形成する。
【００３７】
一体式内部窓パネル１３８は、窓開口部１３４内の可撓性中央パネル１０４に位置決めされ、開口部１３４を取り囲む連続一体式リップ１３６によって保護シェル１０２内に保持される。例えば、図１４により明瞭に示すように、内部窓パネル１３８の周縁１４０は、窓開口部１３４の一体式リップ１３６に溶接され、接着され、結合され、又は他に接合される。任意的に、実質的に防水の継ぎ手１４２が、窓パネル１３８と窓開口部１３４の一体式リップ１３６との間に形成される。一実施形態により、内部窓パネル１３８は、一体式リップ１３６に接合してそれらの間に防水継ぎ手１４２を形成するために窓開口部１３４の一体式リップ１３６の中にオーバーモールドされる。
【００３８】
一体式内部窓パネル１３８は、感圧タッチスクリーン２５を有する携帯電子デバイス１と共に使用するために実質的に光学透明な膜で形成され、それによってタッチ感応スクリーン２５による電子デバイス１の作動は、介在する窓パネル１３８を通して達成される
【００３９】
任意的に、内部窓パネル１３８は、硬質で弾力性のない非圧縮性の材料で形成される。例えば、内部窓パネル１３８を形成するプラスチックシート構成要素は、任意的に、ポリエチレンテレフタレート（ＰＥＴ）又は別の適切な実質的に視覚的に透明な材料を含むがこれに限定されない比較的硬質で実質的に視覚的に透明な材料の非圧縮性シートである。一実施形態により、内部窓パネル１３８を形成するプラスチックシート構成要素は、任意的に、比較的硬質で実質的に視覚的に透明なポリ塩化ビニル（ＰＶＣ）材料の非圧縮性シートである。本明細書に開示するように、ＰＥＴ又はＰＶＣ又は他の硬質で非圧縮性で弾力性のないプラスチックシート材料で形成された内部窓パネル１３８により、携帯電子デバイス１のタッチ感応スクリーンディスプレイ２５の触覚刺激が同様に可能になる。
【００４０】
これに代えて、任意的に、保護シェル１０２の全体又は内部窓パネル１３８だけが光学透明の可撓性エラストマー膜で形成され、その膜は透明であるか又は見た目に美しいピンク又はブルーなどで色付けすることができる。他の実施形態では、保護シェル１０２は、不透明又は半透明であり、あらゆる色又はパターンとすることができる。このような実施形態では、携帯電子デバイス１は、保護カバー１００内に配置され、そのディスプレイは入口開口部１１２を通して視認可能である。
【００４１】
任意的に、保護シェル１０２又は内部窓パネル１３８のみの光学透明のエラストマーは、約４．５程度の実効誘電率のような静電気散逸特性を有する誘電材料である。例えば、エラストマーは、ある量の粉末金属、混合金属酸化物、ポリマーを含むか、又は静電気散逸性コーティングで被覆される。任意的に、保護シェル１０２又は内部窓パネル１３８のみの光学透明のエラストマーを偏光させてグレアを低減する。従って、保護カバー１００は、任意的に、公知のようにユーザによる軽い圧力の印加によってデバイス１のデータの入力及び作動を可能にする感圧タッチスクリーンを有する携帯電子デバイス１と共に利用される。
【００４２】
携帯電子デバイス１は、第２の入口開口部１１２を通して可撓性保護シェル１０２の空洞１０８に挿入され、タッチ感応スクリーン２５を対向する中央パネル１０４の内部窓パネル１３８と接触した状態に位置決めされるとして示され、従って、エラストマー材料の可撓性は、一般的にデータを入力して電子デバイス１を作動させるためのタッチ感応スクリーン２５への圧力の印加を可能にする。本明細書に開示するように、中央パネル１０４の内部窓パネル１３８は、デバイス１のタッチ感応スクリーン２５に対応する位置に薄い可撓性膜として構成される。例示的かつ非限定的に、可撓性中央パネル１０４の窓領域は、約０．０５〜０．０６インチの厚み、又は一般的にデータを入力して電子デバイス１を作動させるためにユーザによって加えられる圧力に対してタッチ感応スクリーン２５が応答可能であるのに適する別の厚みであることが望ましい。中央パネル１０４の一体式窓パネル１３８は、電子デバイス１の感圧タッチスクリーン２５の上への引っ掻き、窪み、及び他の外的な摩耗からそれを保護する。側面スカート１０６及び中央パネル１０４の内部窓パネル１３８を取り囲む保護シェル１０２の各部分は、衝撃及び擦過からの保護を提供するためにより厚くすることができる。
【００４３】
アダプタ１１４の雄プラグ１１６は、電子デバイス１の雌入力／出力ソケット２７に挿入される。
【００４４】
図１３は、携帯電子デバイス１が保護カバー１００の可撓性保護シェル１０２内に受け入れられ、タッチ感応スクリーン２５が内部窓パネル１３８に接触して位置決めされることを示している。携帯電子デバイス１をそこに有する保護カバー１００は、次に、タッチ感応スクリーン２５をそこから外方に向けた状態でドッキング受け台５に挿入される。ドッキング受け台５のドッキングコネクタ３は、その複数の付勢電気接点１１のうちの１又は２以上が電気アダプタ１１４の接触器１２０の電気接点１２２と電気的に結合した状態で、電気アダプタ１１４の接触器１２０に接続される。従って、携帯電子デバイス１は、従来技術の保護カバーで必要とされる保護カバー又は「スキン」１００から最初に取り外されることなく、ドッキング受け台５によってアクセスされる。クランプ１９が存在する場合に、それを押圧することは、アダプタの接触器１２０の電気接点１２２とドッキングコネクタ３の電気接点１１との間の電気的接続を維持する助けになる。
【００４５】
図１４は、図１２に示す保護カバー１００の拡大断面図であり、保護シェル１０２は、内部窓パネル１３８を用いて形成されている。図１４は、電気アダプタ１１４の雄プラグ１１６が携帯電子デバイス１の雌入力／出力ソケット２７の複数の電気接点２９に接続していることを示している。
【００４６】
図１５は、保護カバー１００が、携帯電子デバイス１のタッチ感応スクリーン２５と並置される位置に内部透明窓パネル１３８を有して形成されることを示している。しかし、側面スカート１０６を通過する入口開口部１１２は、中央パネル１０４内の内部窓パネル１３８と保護シェル１０２の対向するパネル１４６との間で単体保護シェル１０２の一方の側１４４に隣接して位置決めされる。ここで、入口開口部１１２は、保護シェル１０２の側面１４４で側面スカート１０６の内方に延びる連続一体式リップ１１０によって形成される。
【００４７】
入口開口部１１２が保護シェル１０２の一方の側１４４に隣接する側面スカート１０６を通して形成された時に、電気アダプタ１１４は側面１４４と反対側の第２の側面１４８で側面スカート１０６に位置決めされる。入口開口部１１２及び電気アダプタ１１４をこのように保護シェル１０２の対向する側１４４及び１４８にそれぞれ位置付けた状態で、電気アダプタ１１４の雄プラグ１１６は、携帯電子デバイス１が側面入口開口部１１２を通して空洞１０８に受け入れられた時にデバイス１の雌入力／出力ソケット２７に受け入れられて雌入力／出力ソケット２７と機械的かつ電気的に嵌合した位置にシェル１０２の空洞１０８内へ延びる。従って、実際は、携帯電子デバイス１は、雌入力／出力ソケット２７が電気アダプタ１１４の雄プラグ１１６と機械的に嵌合するまで側面入口開口部１１２を通して保護シェル１０２内に及び内部空洞１０８内に挿入され（矢印１５０）、その時に入力／出力ソケット２７は同時に電気アダプタ１１４と電気的に嵌合される。携帯電子デバイス１は、挿入方向（矢印１５０）に沿って逆の順序で保護シェル１０２から取り外される。
【００４８】
図１６は、アダプタ１１４が更に雄プラグ１１６の複数の電気コネクタ１１８の連続的に順序付けられた対と接触器１２０の対応する電気接点１２２との間の電気カプリングを有する通過アダプタとして構成されることを示すブロック図である。ここで、アダプタ１１４の本体１２８に埋め込まれたワイヤ又は他の導体１２６は、雄プラグ１１６の電気コネクタ１１８と接触器１２０の対応する電気接点１２２との間を直接順次的関係で連通させる。アダプタ１１４が通過アダプタとして構成され、携帯電子デバイス１（想像線に示す）が保護カバー１００に受け入れられて、その２つがドッキング受け台５（想像線に示す）に受け入れられた時に、図示のように、携帯電子デバイス１の雌ソケット２７の複数の電気接点２９上の入力／出力信号は、携帯電子デバイス１の雌入力／出力ソケット２７の電気接点２９上に示されているのと同じ順序でドッキングコネクタ３の電気接点１１に示されている。従って、ドッキングコネクタ３の電気接点１１は、電子デバイス１の入力／出力ソケット２７の電気接点２９に対応して順序付ける必要がある。電子デバイス１の雌ソケット２７の電気接点２９上の入力／出力信号のあらゆる望ましい再順序づけは、ドッキング受け台５のドッキングコネクタ３で又はドッキングコネクタ３の下流側の他所で行わなければならない。
【００４９】
図１７は、アダプタ１１４が代わりに雄プラグ１１６の複数の電気コネクタ１１８の不連続に順序付けられた対と接触器１２０の対応する電気接点１２２との間で電気カプリングを有する変換アダプタとして更に構成される代替実施形態を示すブロック図である。ここで、アダプタ１１４の本体１２８に埋め込まれたワイヤ、トレース、又は他の導体１２６は、雄プラグ１１６の電気コネクタ１１８と接触器１２０の電気接点１２２との間を非順次的関係で連通させる。アダプタ１１４が変換アダプタとして構成され、携帯電子デバイス１（想像線に示す）が保護カバー１００に受け入れられて、その２つがドッキング受け台５（想像線に示す）に受け入れられた時に、図示のように、携帯電子デバイス１の雌ソケット２７の複数の電気接点２９上の入力／出力信号は、図１４に示すアダプタ１１４の通過構成でのように携帯電子デバイス１の雌入力／出力ソケット２７の電気接点２９上に示されている順序だけであるのとは対照的に、あらゆる望ましい順序でドッキングコネクタ３の電気接点１１に示されている。ドッキングコネクタ３の電気接点１１は、このようにドッキング受け台５の電気ケーブル１５内のリード１３上の定められた入力／出力順序に対応して順序付けられる。従って、電子デバイス１の雌ソケット２７の電気接点２９上の入力／出力信号は、ドッキングコネクタ３に適合するようにあらゆる望ましい順序に再順序付けされ、それによってドッキングコネクタ３における電子デバイス１の雌ソケット２７の電気接点２９上の入力／出力信号の下流側再順序づけは、ドッキング受け台５に受け入れられた特定の電子デバイス１に適合する必要はない。これに代えて、ドッキングコネクタ３は、変換アダプタ１１４が携帯電子デバイス１に適合される場合に、ドッキング受け台５に挿入されたいずれのデバイス１とも協働する万能ドッキングコネクタとして作動する。従って、ドッキング受け台５は、単一汎用又は万能ドッキングコネクタ３を有して、アダプタ１１４の本体１２８に埋め込まれたワイヤ、電気トレース、又は他の導体１２６の経路指定により電気アダプタ１１４内で雄プラグ１１６の電気コネクタ１１８と接触器１２０の電気接点１２２との間のカプリング関係の順序を単に調整することにより、携帯電子デバイス１の様々な異なるデバイスと共に依然として利用することができる。
【００５０】
図１８は、雄プラグ１１６及び接触器１２０を保護シェル１０２の異なる区域に位置付けられた２つの個々のアダプタプラグ本体１２８ａ及び接触器本体１２８ｂに分離するように構成された変換アダプタ１１４を示している。雄プラグ１１６の個々のアダプタプラグ本体１２８ａと接触器１２０の接触器本体１２８ｂとは、保護シェル１０２の側面スカート１０６に固定的に位置付けられる。ここで例えば、個々のアダプタプラグ及び接触器本体１２８ａ、１２８ｂは、任意的に保護シェル１０２内に埋め込まれてオーバーモールドされる。例示的かつ非限定的に、雄プラグ１１６は、任意的に保護シェル１０２の一方の側１０２ａに隣接するスカート１０５に埋め込まれる一方、接触器１２０は、任意的に雄プラグ１１６から離間した位置でスカート１０６に埋め込まれる。例えば、接触器１２０は、任意的に、雄プラグ１１６から離間して保護シェル１０２の一方の側１０２ｂに隣接するスカート１０６に埋め込まれる。
【００５１】
任意的に、アダプタ接触器１２０の接触器本体１２８ｂは、単体保護シェル１０２の外面１２４に凹設される。例示的かつ非限定的に、任意的なダム１３２が単体保護シェル１０２の外面１２４に形成され、アダプタ接触器１２０は、更にダム１３２内に凹設される。接触器１２０の電気接点１２２は、ダム１３２内に又は他に単体保護シェル１０２の外面１２４内に凹設されることによって損傷から保護される。
【００５２】
図１９及び図２０は、雄プラグ１１６の個々のアダプタプラグ本体１２８ａと接触器１２０の接触器本体とが、延長されたワイヤ、トレース、又は他の導体１２６によって保護シェル１０２内で相互接続されることを示している。例えば、複数の導体１２６は、雄アダプタプラグ１１６の複数の電気コネクタ１１８をアダプタ接触器１２０の対応する複数の電気接点１２２と電気的に相互接続するために延長された細長電気ケーブル、ワイヤ、又は他の導体として構成される（３本が示されている）。導体１２６は、保護シェル１０２内に固定的に位置決めされる。例えば、導体１２６は、任意的に保護シェル１０２の側面スカート１０６内に埋め込まれてオーバーモールドされる。これに代えて、導体１２６は、任意的に、保護シェル１０２の面に、すなわち、内面又は外面に接着される。
【００５３】
任意的に、保護シェル１０２の側面１０２ａ及び／又は側面１０２ｂは、保護シェル１０２のスカート１０６内に複数の導体１２６を受け入れるようになっている。例えば、保護シェル１０２の側面１０２ａ及び／又は１０２ｂの各部分は、スカート１０６内に複数の導体１２６の追加の容積を収容するために任意的に厚くされる。
【００５４】
図２１は、エラストマーシェル１０２の異なる区域の異なる側１０２ａに隣接する側面スカート１０６に位置付けられた複数の個別アダプタプラグ本体１２８ａ内の複数の雄プラグ１１６（２つが示されている）に分離されるとして構成された変換アダプタ１１４を示している。複数の雄プラグ１１６の各々は、保護シェル１０２の側面スカート１０６に装着された単一接触器本体１２８ｂにある接触器１２０の電気接点１２２と電気的に結合される。各個々の雄プラグ１１６のアダプタプラグ本体１２８ａ及び接触器１２０の接触器本体１２８ｂは、保護シェル１０２の側面スカート１０６に固定的に位置付けられる。例示的かつ非限定的に、全ての雄プラグ１１６は、任意的に保護シェル１０２の１又は２以上の異なる側１０２ａに隣接する側面スカート１０６に埋め込まれる。例えば、各個々のアダプタプラグ本体１２８ａは、任意的に、保護シェル１０２の中にオーバーモールドされる。接触器１２０は、任意的に、雄プラグ１１６の１又は２以上から離間した位置で側面スカート１０６に埋め込まれ、例えば、オーバーモールドされる。例えば、接触器１２０は、任意的に、雄プラグ１１６から離間して保護シェル１０２の一方の側１０２ｂに隣接するスカート１０６に埋め込まれる。
【００５５】
図示のように、アダプタ接触器１２０の接触器本体１２８ｂは、単体保護シェル１０２の側面スカート１０６の外面１２４に凹設される。例示的かつ非限定的に、任意的なダム１３２が、単体保護シェル１０２の外面１２４に形成され、アダプタ接触器１２０は、更にダム１３２内に凹設される。接触器１２０の電気接点１２２は、ダム１３２内に又は他に単体保護シェル１０２の外面１２４内に凹設されることによって損傷から保護される。
【００５６】
本明細書に開示するように、ダム１３２は、外面１２４に形成されたロケータであり、ドッキングコネクタ３に対して単体保護シェル１０２を積極的に位置決めするための位置決めインタフェースとしてそれらの間の嵌合を促進するためにドッキング受け台５と協働する。
【００５７】
図１１及び図１３の各々に開示するように、位置決めインタフェースのダム１３２は、単体保護シェル１０２の外面１２４上のロケータとして機能し、機械的かつ電気的カプリングのために接触器１２０をドッキングコネクタ３に積極的に位置決めするようにドッキング受け台５のソケット受け入れ器と協働する。例えば、ダム１３２は、単体保護シェル１０２の外面１２４から突出又は延長され、アダプタ接触器１２０及びその電気接点１２２は、例えば、図８に示すようにロケータダム１３２の凹部内に凹設される。図３、図４、及び図５の各々に示すように、ドッキングコネクタ３は、ドッキング受け台トレイ７のベース受け入れ器９の内面内に凹設されたソケット受け入れ器内に凹設される。従って、ソケット受け入れ器は、図示のように、嵌合を促進するためにドッキング受け台トレイ７のベース受け入れ器９にあるドッキングコネクタ３に対して単体保護シェル１０２を積極的に位置決めするようにロケータダム１３２と協働する。
【００５８】
図２２は、後の図でより明瞭に示されているが、内部空洞１０８に対向する可撓性中央パネル１０４の外面１５２上に設けられた変換アダプタ１１４のアダプタ接触器１２０から分離してそこから離間した変換アダプタ１１４の雄プラグ１１６を有する保護シェル１０２を示している。
【００５９】
図２３は、内部空洞１０８に対向する可撓性中央パネル１０４の外面１５２上に設けられた変換アダプタ１１４の接触器１２０を有する保護シェル１０２を示している。ドッキング受け台５は、これに代えて、そのドッキングコネクタ３を側面スカート１０６に埋め込むのではなく、可撓性中央パネル１０４の外面１５２上の接触器１２０と結合するための位置に位置決めするように構成される。
【００６０】
図２４は、ドッキング受け台５の一実施形態を示しており、トレイ７は実質的に水平に位置し、ベース受け入れ器９は、周囲側壁１６０により離間した上側作動面１５６及び下側インタフェース面１５８を有して構成される。図示のように、ドッキング受け台５のトレイ７は、ほぼ円形の形状で構成することができるが、適切で同等な構造をもたらすあらゆるほぼ正方形又は矩形、長円形、腎臓形、又は他の規則的又は不規則な形状で構成することができる。
【００６１】
ドッキング受け台トレイ７の作動面１５６は、そこに凹設された浅いソケット受け入れ器１６６を取り囲んで支持リムを形成するほぼ平坦又は平面状の周囲面１６４で形成された雌入れ子１５７を有して形成される。ソケット受け入れ器１６６は、例えば、ドッキング受け台トレイ７の外形形状と同様にほぼ円形の形状（図示）であるが、任意的に、トレイ７の外形形状に適合するほぼ正方形又は矩形、長円形、腎臓形、又は他の規則的又は不規則な形状とすることができる。凹設されたソケット受け入れ器１６６は、周囲支持リム１６４に対して凹み、それと実質的に平行とすることができる電気的インタフェース面を成す床１６８を有して形成される。内部周囲移行壁１７０は、ソケット床１６８と周囲支持リム１６４の間に移行部を提供する。本発明の一実施形態により、内部周囲移行壁１７０は、ソケット床１６８及び周囲ソケットリム１６４のオフセット面に対して実質的に垂直である。本発明の代替実施形態により、内部周囲移行壁１７０は、任意的に、ソケット床１６８と周囲ソケットリム１６４の間で外方に傾斜し、それによってソケット床１６８と周囲ソケットリム１６４の間に傾斜移行部を提供する。例えば、外方に傾斜した内部周囲移行壁１７０は、ソケット床１６８の平面から約３０〜６０度の範囲の角度を形成する。しかし、この角度は、任意的に、ソケット床１６８の平面から約１５度又はそれ未満から７５度又はそれよりも大きいまでの遥かに広い範囲にある。
【００６２】
ドッキング受け台トレイ７は、任意的に、外部装着面Ｓに固定するための機構を含む。従って、限定ではなく例示的に、ドッキング受け台トレイ７は、本明細書で説明するように１又は２以上のファスナクリアランス孔１７２によって穿孔され、その各々がそれを通してドッキング受け台トレイ７を中間装着デバイスのような外部装着面に取り付けるのに適する機械的ファスナを通すようなサイズに作られている。ファスナクリアランス孔１７２は、任意的に、上側作動面１５６及び凹んだソケット床１６８の一方又は両方の下方に貫通するネジ付きファスナの頭部を凹ませるために、皿穴又は座繰り穴である合致する環状窪み又は凹部１７４を含む。
【００６３】
これに代えて、任意的に、１又は２以上のファスナは、ドッキング受け台５のトレイ７と一体化される。例えば、２対のネジ付きスタッドの頭部をそれらのネジ付きシャフトが下側インタフェース面１５８から突出た状態でドッキング受け台トレイ７の成形構造に埋め込んで、外部装着面の適合する開口を通して挿入してナットで固定するようにする。このような場合に、ファスナクリアランス孔１７２はファスナのネジ付きシャフトで埋められる。更に、凹んだソケット床１６８と周囲ソケットリム１６４、及びその間の内部周囲移行壁１７０は、任意的に、完全に途切れのない状態にされ、ドッキング受け台トレイ７は、従って、実質的に中実で途切れのない面を提示する。接着剤又は感圧接着剤テープ及びフィルムのような外部装着面Ｓに取り付けるための別の機構も考えられ、本発明の範囲及び意図から逸脱することなく組み込む又は代用することができる。
【００６４】
任意的に、ドッキング受け台トレイ７の雌入れ子１５７は、保護カバー１００の単体保護シェル１０２とドッキング受け台トレイ７の間で回転の向きを維持するように構成された１又は２以上の雄回転制御特徴部１７６を有して形成される。例示的かつ非限定的に、雄回転制御特徴部１７６は、凹んだソケット床１６８と周囲ソケットリム１６４の間の内部周囲移行壁１７０の直線部分又は湾曲部分（図示）により、凹設されたソケット受け入れ器１６６への浅い侵入として構成される。これに代えて、ソケット受け入れ器１６６の内部周囲移行壁１７０は、あらゆるほぼ正方形又は矩形、長円形、腎臓形、又は他の規則的又は不規則な形状を有して構成され、それによって回転制御特徴部１７６は、このような非円形の形状により与えられるソケット受け入れ器１６６に固有のものになる。
【００６５】
一実施形態により、保護カバー１００のシェル１０２は、シェル１０２内の携帯電子デバイス１の重量の下で、すなわち、重力によってドッキング受け台５のトレイ７に保持される。シェル１０２の位置決めインタフェースダム１３２は、ドッキング受け台トレイ７に凹設されたソケット受け入れ器１６６の中に入れ子になることにより、ドッキング受け台５と協働する。
【００６６】
これに代えて、保護カバー１００をドッキング受け台５内に固定するために、１又は２以上の永久磁石１７８が、保護カバー１００のシェル１０２とドッキング受け台５のトレイ７の間に設けられる。例示的かつ非限定的に、１又は２以上の永久磁石１７８が、ソケット受け入れ器１６６の凹んだ床１６８又は周囲ソケットリム１６４（図示）のいずれかに隣接する磁石保持構造１８０内に配置される。各永久磁石１７８は、存在する場合に、限定ではなく例示的に、薄い円形状又は円盤状である。円盤形状は有利であるが、他の磁石形状も同等であり、置換可能である。磁石１７８は、任意的に公知の希土類である。希土類磁石は、大きさの割に非常に強力であり、従って、本発明の実施に有用である。しかし、本発明の実施に対して十分に強力な他の公知の及び現在は知られていない磁石が同等であり、置換することができる。
【００６７】
限定ではなく例示的に、磁石保持構造１８０は、ソケット受け入れ器１６６の凹んだ床１６８又は雌入れ子１５７の周囲ソケットリム１６４のいずれかに近接して各磁石１７８を個別に位置決めする複数の空洞として具現化される。本発明の一実施形態により、磁石保持構造１８０の各空洞は、磁石１７８とソケットの凹んだ床１６８又は周囲ソケットリム１６４との間の距離を最小にする。磁石１７８によって生成された磁場の減衰は、従って、最小に抑制され、生成された磁場は、協働するドッキング受け台５に対する磁気吸引によりほとんどの携帯電子機器及び他の小型デバイスの保持を確実にするのに十分強力なままである。
【００６８】
一実施形態により、磁石保持構造１８０の空洞は、各磁石１７８が少なくとも軽い圧力の下でかつ圧力嵌めと同程度に挿入されるように、滑り嵌め又は圧縮嵌めのいずれかとして磁石１７８に適合するようなサイズにされる。
【００６９】
磁石保持空洞１８０は、作動面１５６とは反対側のドッキング受け台５のトレイ７の下側インタフェース面１５８上に設けることができる。保持空洞１８０内の磁石１７８は、ソケット受け入れ器１６６の凹んだ床１６８又は雌入れ子１５７の周囲ソケットリム１６４の近くに保持される。ドッキング受け台トレイ７が、僅かな変形に弾力的に応答する特性を有する実質的に剛性のプラスチック又は他のエラストマー材料で形成され、磁石保持空洞１８０が、任意的に磁石１７８のための圧縮嵌めとしてサイズ設定される場合に、磁石１７８は、挿入に際して磁石１７８によって弾性変形する小さめに作られた空洞１８０の半径方向圧縮により保持される。従って、米国特許第５，９９２，８０７号明細書でＴａｒｕｌｌｉにより、及び米国特許第６，１４９，１１６号明細書でＷｏｎにより教示される二重接着テープ、又は引用により本明細書に組み込まれる「磁石支持体取り付け」という名称の１９９９年４月２０日に付与された米国特許第５，８９５，０１８号明細書でＲｉｅｌｏにより教示される合わせ開口内のバイオネットのような他の保持要素は回避される。
【００７０】
本明細書に開示するように、ドッキングコネクタ３は、例えば、ワイヤ又はケーブル１５の電気リード１３に電気的に結合したバネ付勢ポゴピンとして構成された複数の付勢電気接点１１を含む。一般的に、ドッキングコネクタ３は、最小数の少なくとも２つの付勢電気接点１１を含むが、より多くの接点１１を有することに対して限定されない。
【００７１】
図２５は、雌入れ子１５７に着座するように構成された相補的雄入れ子付属品１５９としてシェル１０２のロケータダム１３２を有して形成された保護カバー１００の単体保護シェル１０２を示している。例えば、相補的雄入れ子特徴部１５９のロケータダム１３２は、図２４に示すようなドッキング受け台５のトレイ７内で水平ベース受け入れ器９の凹設ソケット受け入れ器１６６に嵌合するように構成される。相補的ロケータダム１３２は、携帯電子デバイス１が着座する内部空洞１０８に対向する可撓性中央パネル１０４の外面１５２から突出するか又は延びる。相補型ロケータダム１３２は、凹設ソケット受け入れ器がそのように構成された場合に、ほぼ円形の形状を有して構成される。これに代えて、ロケータダム１３２は、ドッキング受け台トレイ７の作動面１５６にある雌入れ子１５７の凹設ソケット受け入れ器１６６がそのように構成された場合に、あらゆるほぼ正方形又は矩形、長円形、腎臓形、又は他の規則的又は不規則な形状を有して構成される。従って、相補的ロケータダム１３２は、可撓性中央パネル１０４の外面１５２からドッキング受け台トレイ７のソケット受け入れ器１６６内の凹んだ床１６８の深さぐらいの距離までオフセットされた実質的に平坦な接触器面１８２を用いて形成された浅い突出である。従って、保護シェル１０２の可撓性中央パネル１０４の外面１５２は、相補的ロケータダム１３２が凹設ソケット受け入れ器１６６に入れ子になる時に、ドッキング受け台トレイ７の周囲支持リム１６４に係合する雄入れ子付属品１５９の下側リムを形成する。
【００７２】
雌ソケット受け入れ器１６６の内部周囲移行壁１７０がソケット床１６８と周囲ソケットリム１６４の間で傾斜している場合に、相補的雄ロケータダム１３２は、任意的に、可撓性中央パネル１０４の接触器面１８２と外面１５２の間に延びて実質的に適合する傾斜を用いて形成された周囲移行壁１８４を含む。従って、傾斜した相補的雄ロケータダム１３２は、雌入れ子１５７の凹設ソケット受け入れ器１６６の傾斜に入れ子になる。
【００７３】
雌入れ子１５７のソケット受け入れ器１６６が１又は２以上の雄回転制御特徴部１７６を有して構成された場合に、相補的雄ロケータダム１３２は、１又は２以上の適合する回転制御特徴部１８６を有して構成される。例えば、雌ソケット受け入れ器１６６の回転制御特徴部１７６が、凹んだソケット床１６８と周囲ソケットリム１６４の間のソケット１６６の内部への移行壁１７０の雄周囲突出部として構成される場合に、回転制御特徴部１８６は、ソケット移行壁１７０内の雄回転制御特徴部１７６に嵌合するように位置決めされ、かつそのようなサイズにされた相補的ロケータダム１３２の周囲への適合した雌凹み又は侵入部として構成される。
【００７４】
これに代えて、適合する雄及び雌回転制御特徴部１７６及び１８６は、任意的に、雌ソケット受け入れ器１６６と相補的ロケータダム１３２の間で反転され、従って、雌回転制御特徴部１７６は、移行壁１８４の雄周囲突出部としてシェル１０２の相補的ロケータダム１３２に提供され、適合する雌回転制御特徴部１８６は、雌ソケット受け入れ器１６６を取り囲むリム１６４内の移行壁１７０の周囲への相補的な雌又は凹み又は侵入として提供される。
【００７５】
従って、本明細書に開示するように、雄位置決めインタフェース１３２は、オフセット突出接触器面１８２と、その周囲に形成された凹んだ雌回転制御特徴部１８６との組合せを含み、回転制御特徴部１８６は、例えば、ドッキング受け台トレイ７の雌入れ子１５７に着座した時にソケット受け入れ器１６６を取り囲むリム１６４に接触する可撓性中央パネルの外面１５２によって形成される周縁と同一平面上にある。雄位置決めインタフェース１３２の凹んだ雌回転制御特徴部１８６は、雌入れ子１５７内でドッキング受け台トレイ７の雄回転制御特徴部１７６と係合し、それによってシェル１０２はトレイ７のベース受け入れ器９に対して回転的に方向付けられる。従って、保護シェル１０２の外面１５２上の相補的ロケータダム１３２は、ドッキング受け台トレイ７のベース受け入れ器９内で雌ソケット受け入れ器１６６と入れ子になり、一方で嵌合する雄及び雌の回転制御特徴部１７６、１８６は、トレイ７のベース受け入れ器９に対して保護シェル１０２の回転を制御する。
【００７６】
ドッキング受け台５のトレイ７が、図２４に示すように、ソケット受け入れ器１６６の凹んだ床１６８又は周囲リム１６４に隣接する任意的な磁石１７８を含む場合に、保護シェル１０２の中央パネル１０４は、鉄、ニッケル、コバルト、又は別の強磁性材料、又は合金のような鉄鋼材料、又は他の高透磁率強磁性材料のシート又はプレートとして具現化された透磁性部材１８８を有する。例えば、透磁性部材１８８は、磁石１７８による吸引のための相補的な位置で保護シェル１０２の中央パネル１０４に埋め込まれる。従って、磁石１７８及び磁気吸引性部材１８８は、保護カバー１００をドッキング受け台５に固定するために、保護カバー１００のシェル１０２とドッキング受け台５のトレイ７との間で作動可能な磁気吸引カップルを形成する。
【００７７】
可撓性中央パネル１０４の外面１５２に設けられた変換アダプタ１１４の接触器１２０は、水平なトレイ７の凹設ソケット受け入れ器１６６でバネ付勢ポゴピンとして構成された複数の付勢電気接点１１と電気的に結合するように適切に構成される。例えば、接触器１２０の複数の電気接点１２２は、銅、銀、金、白金又は別の導電材料のような導電材料の複数の同心接触リングとして構成される。接触器１２０の接触リング１２２は、本明細書に開示するように、順次的又は非順次的のいずれかで順序付けられた対で雄アダプタプラグ１１６の複数の電気コネクタ１１８と電気的に相互接続するために導体１２６に結合される。接触器１２０の接触リング１２２は、ドッキング受け台トレイ７のベース受け入れ器９の凹設ソケット受け入れ器１６６で異なるポゴピン接点１１と嵌合するように位置決めされる。
【００７８】
接触器１２０の電気接点１２２が複数の同心接触リングとして構成される場合に、雌ソケット受け入れ器１６６での位置決めインタフェースダムの回転（図２５、矢印１９０）に依らず、接触リング１２２がドッキング受け台トレイ７に対するシェル１０２のいずれの向きでも異なるポゴピン接点１１と嵌合するので、協働する雄及び雌の回転制御特徴部１７６及び１８６は、任意的に除去される。しかし、協働する雄及び雌の回転制御特徴部１７６及び１８６は、任意的に、保護カバー１００とドッキング受け台３の間に相対的な回転関係を与えるために存在することができる。
【００７９】
図２６は、ドッキング受け台３のトレイ７に着座した保護カバー又はスキン１００のエラストマーシェル１０２を示す断面図である。図示のように、保護カバー１００の相補的雄入れ子付属品１５９は、ドッキング受け台５の雌入れ子１５７と入れ子にされ、それによってシェル１０２はドッキング受け台トレイ７に保持される。例えば、シェル１０２は、本明細書に開示するように、シェル１０２内の携帯電子デバイス１の重量、すなわち、重力によって固定される。シェル１０２は、位置決めインタフェースダム１３２をドッキング受け台トレイ７に凹設されたソケット受け入れ器１６６の中に入れ子にすることにより、ドッキング受け台５と協働する。例えば、存在する場合に雌回転制御特徴部１８６が、存在する場合にドッキング受け台５のトレイ７の適合する雄回転制御特徴部１７６と嵌合するまで、位置決めインタフェースダム１３２を回転させる（図２５、矢印１９０）。その後、周囲移行壁１８４は、適合する移行壁１７０と協働して、シェル１０２がドッキング受け台トレイ７に近づく時にソケット受け入れ器内でロケータダム１３２を位置決めする。相補的雄入れ子特徴部１５９の位置決めインタフェースダム１３２が雌入れ子１５７のソケット受け入れ器１６６内で十分に入れ子にされた状態で、可撓性中央パネル１０４の外面１５２は、雌ソケット受け入れ器１６６の周囲支持リム１６４と接触し、エラストマーシェル１０２の接触器面１８２は、凹んだソケット床１６８と並置される。突出した位置決めインタフェースダム１３２と凹設ソケット受け入れ器１６６の協働する周囲移行壁１８４及び１７０の係合は、接触器１２０の電気接点１２２をドッキング受け台３のベース受け入れ器９の付勢電気接点１１との係合へ案内するように作動する。
【００８０】
一実施形態により、接触器１２０の電気接点１２２は、そこに電子デバイス１を収納したシェル１０２の重量の下で、すなわち、重力により、ドッキング受け台３のベース受け入れ器９の付勢電気接点１１と係合する。
【００８１】
これに代えて、任意的な磁石１７８が存在する場合に、磁石１７８と透磁性部材１８８の間の磁力は、保護カバー１００のシェル１０２をドッキング受け台５のトレイ７との入れ子式係合で固定し、接触器１２０の電気接点をドッキング受け台５のベース受け入れ器９の付勢電気接点１１と係合させるように作動する。
【００８２】
保護カバー又はスキン１００が、重力の下でドッキング受け台３のトレイ７に保持されている場合に、受け台３から取り外すためは、シェル１０２を単に持ち上げるだけで保護カバー１００が解除されることになる。
【００８３】
これに代えて、任意的な磁石１７８が存在する場合に、磁石１７８と透磁性部材１８８の間の磁力は、保護カバー１００のシェル１０２をドッキング受け台５のトレイ７との入れ子式係合で固定するように作動する。しかし、シェル１０２を単に回転させる（図２５、矢印１９０）だけで、雌回転制御特徴部１８６がドッキング受け台５のトレイ７の適合する雄回転制御特徴部１７６と干渉するまで位置決めインタフェースダム１３２が回転する。このような干渉により、シェル１０２がベース受け入れ器９から分離して磁力が減衰し、それによって保護カバー１００は、受け台３から取り外すために解除される。
【００８４】
図２７、図２８、及び図２９は、共にカバー又はスキン１００及びドッキング受け台５の代替実施形態を示している。ここで開示するように、磁石１７８と透磁性部材１８８の相対位置は反転される。例えば、１又は２以上の磁石１７８は、ドッキング受け台トレイ７の雌入れ子１５７のソケット受け入れ器１６６を取り囲む高くしたリム１６４にあるのではなく、可撓性中央パネル１０４の外面１５２に隣接する磁石保持構造１８０内に配置される。例示的かつ非限定的に示すように、鉄、ニッケル、コバルト、又は別の強磁性材料、又は合金のような鉄鋼材料、又は別の高透磁率強磁性材料の薄いシート又はプレートとしてそれぞれ具現化される１又は２以上の透磁性部材１８８は、ここで開示するように、雌ソケット受け入れ器１６６の凹んだ床１６８又は周囲のソケットリム１６４のいずれかに埋め込まれる（図示）。
【００８５】
これに加えて、１又は２以上の永久磁石１７８が、保護カバー１００の相補的雄入れ子付属品１５９に装着される。例えば、磁石１７８は、ドッキング受け台５に保護カバー１００を磁気的に固定するための透磁性部材１８８と協働するために、保護シェル１０２の中央パネル１０４に埋め込まれる。
【００８６】
図３０、図３１、及び図３２は、協働するデバイスカバー１００及びドッキング受け台５の代替実施形態を示しており、ここでは、変換アダプタ１１４の接触器１２０と、雄入れ子付属品１５９及びドッキング受け台トレイ７の合わせ雌入れ子１５７によって形成されたドッキングコネクタ３との間に設けられた位置決めインタフェース特徴部が反転されている。雌入れ子１５７及び相補的雄入れ子特徴部１５９から構成される位置決めインタフェース特徴部の反転実施形態は、ロケータダム１３２をシェル１０２の中央パネル１０４の外面１５２に設けられた雌受け入れ器として構成することによって形成され、一方でドッキング受け台トレイ７のベース受け入れ器９は、協働する雄ロケータとして構成される。
【００８７】
図３０は、ここではドッキング受け台トレイ７から浅いソケット受け入れ器１６６を有して構成されたロケータダム１３２により、雌入れ子１５７が保護シェル１０２上に設けられることを示している。ロケータダム１３２のソケット受け入れ器１６６は、シェル１０２の内部空洞１０８に対向する可撓性中央パネル１０４の外面１５２から突出する支持リムを周りに形成されたほぼ平坦又は平面状の周囲面１６４によって囲まれている。ダム１３２のソケット受け入れ器１６６は、ソケット床１６８と周囲支持リム１６４の間に移行部を提供する内部周囲移行壁１７０を含む。移行壁１７０は、本明細書に開示するように、ドッキング受け台トレイ７に対して保護カバー１００のエラストマーシェル１０２を積極的に回転的に方向付けるように構成された回転制御特徴部１７６を用いて形成される。
【００８８】
すなわち、本明細書に開示するように、雄位置決めインタフェース１３２は、ソケット受け入れ器１６６の床１６８に凹設された接触器面と、その周囲に形成された突出した回転制御特徴部１７６との組合せを含み、回転制御特徴部１７６は、例えば、ソケット床１６８を取り囲む周囲接触リム１６４と同一平面上にある。雌入れ子１５７がドッキング受け台トレイ７の相補的雄入れ子付属品１５９の上に着座した時に、接触リム１６４は、ドッキング受け台トレイ７の作動面１５６と係合する。雄位置決めインタフェース１３２の突出した回転制御特徴部１７６は、雄入れ子付属品１５９内でドッキング受け台トレイ７の凹んだ回転制御特徴部１８６と係合し、それによってシェル１０２は、トレイ７のベース受け入れ器９に対して回転的に方向付けられる。
【００８９】
任意的に、保護カバー１００のシェル１０２は、本明細書に開示するように、重量の下で、すなわち、重力によってドッキング受け台５のトレイ７に保持される。これに代えて、任意的な磁石１７８及び透磁性部材１８８は、存在する場合に、本明細書に開示するように、ドッキング受け台トレイ７又は保護シェル１０２のいずれかに設けることができる。ここで限定ではなく例示的に示すように、永久磁石１７８は、ソケット受け入れ器１６６の凹んだ床１６８又は周囲ソケットリム１６４（図示）のいずれかに隣接する磁石保持構造１８０内に設けられる。
【００９０】
変換アダプタ１１４の接触器１２０は、本明細書に開示するように、導電材料の複数の同心接触リング１２２として構成することができる。接触器１２０は、ソケット受け入れ器１６８の床１６８上に位置決めされる。
【００９１】
図３１は、ドッキング受け台５のトレイ７が、ほぼ平坦な平面で形成された上側作動面１５６を有して構成されたベース受け入れ器９と共に実質的に水平に位置するように構成されることを示している。トレイ７の作動面１５６は、保護カバー１００から相補的雄入れ子付属品１５９を有して構成される。
【００９２】
実質的に平面の接触器面１８２は、ドッキング受け台トレイ７の上側作動面１５６からオフセット又は突出しており、あらゆるほぼ円形、正方形又は矩形、長円形、腎臓形、又は他の規則的又は不規則な形状を有して構成され、保護シェル１０２上の入れ子１５７の雌ロケータダム１３２の凹設ソケット受け入れ器１６６内にぴったり適合するサイズに作られる。従って、ドッキング受け台トレイ７の上側作動面１５６は、相補的雄入れ子付属品１５９の突出した接触器面１８２が入れ子１５７の雌ロケータダム１３２の凹設ソケット受け入れ器１６６に入れ子になった時に、保護シェル１０２内のロケータダム１３２の周囲支持リム１６４と係合する。
【００９３】
すなわち、本明細書に開示するように、ドッキング受け台トレイ７の相補的雄入れ子付属品１５９は、ベース受け入れ器９の上側作動面１５６から突出した接触器面１８２とその周囲に凹設された雌回転制御特徴部１８６との組合せを含み、回転制御特徴部１８６は、例えば、作動面１５６として構成された周囲接触リムと同一平面上にある。作動面１５６は、雌入れ子１５７がドッキング受け台トレイ７の相補的雄入れ子付属品１５９の上に着座した時に、シェル１０２の可撓性中央パネル１０４の外面１５２から突出するロケータダム１３２のソケット受け入れ器１６６を取り囲む支持リムを形成する周囲面の接触リム１６４（図３０に示されている）と係合する。雌位置決めインタフェース１３２の突出した雄回転制御特徴部１７６は、雄入れ子付属品１５９内でドッキング受け台トレイ７の凹んだ雌回転制御特徴部１８６と係合し、それによってシェル１０２は、トレイ７のベース受け入れ器９に対して回転的に方向付けられる。
【００９４】
本明細書に開示するように、ドッキングコネクタ３は、例えば、ワイヤ又はケーブル１５内の電気リード１３に電気的に結合したバネ付勢ポゴピンとして構成される複数の付勢電気接点１１を含む。
【００９５】
ドッキング受け台トレイ７は、任意的に、本明細書で説明するように、ドッキング受け台トレイ７を外部装着面に取り付けるためのファスナクリアランス孔１７２によって穿孔される。ファスナクリアランス孔１７２は、任意的に、相補的雄入れ子付属品１５９の突出した接触器面１８２を貫通するネジ付きファスナの頭部を凹ませるために、本明細書で説明するように、皿穴又は座繰り穴である合致する環状の窪み又は凹部１７４を含む。更に本明細書に開示するように、接着剤又は感圧接着剤テープ及びフィルムのような外部装着面Ｓに取り付けるための別の機構も考えられ、本発明の範囲及び意図から逸脱することなく組み込む又は代用することができる。
【００９６】
相補的に突出した雄入れ子付属品１５９の周囲移行壁１８４は、任意的に、ドッキング受け台トレイ７の受け入れ器９内のドッキングコネクタ３に対して単体保護シェル１０２を積極的に位置決めするために、凹設ソケット受け入れ器１６６の傾斜に協働して入れ子になるように傾斜する。
【００９７】
保護シェル１０２のロケータダム１３２が雄回転制御特徴部１７６を用いて形成された時に、ドッキング受け台５のトレイ７は、雄回転制御特徴部１７６に嵌合して保護シェル１０２とドッキング受け台トレイ７の間で回転の向きを制御するように協働する適合した雌回転制御特徴部１８６を用いて形成することができる。
【００９８】
これに代えて、適合する雄及び雌回転制御機構１７６及び１８６は、任意的に、保護シェル１０２上に雌入れ子１５７を形成するロケータダム１３２の雌ソケット受け入れ器１６６とドッキング受け台トレイ７の相補的雄入れ子付属品１５９との間で反転され、従って、回転制御機構１８６は、ロケータダム１３２の雌ソケット受け入れ器１６６を取り囲むリム１６４内の移行壁１７０の周囲への雌凹み又は侵入として提供され、適合する回転制御機構１７６は、移行壁１８４の相補的雄周囲突出部として提供される。
【００９９】
図３２は、ロケータダム１３２により保護シェル１０２上に雌入れ子１５７が設けられ、ベース受け入れ器９によりドッキング受け台５のトレイ７上に相補的雄入れ子付属品１５９が設けられた断面図である。従って、保護カバー１００のシェル１０２とドッキング受け台５のトレイ７との間の位置決めインタフェースは、保護シェル１０２上の雌入れ子１５７がベース受け入れ器９の相補的雄入れ子付属品１５９の上に受け入れられることによって提供される。
【０１００】
本明細書に開示するように、保護カバー１００がシェル１０２内の携帯電子デバイス１の重量、すなわち、重力によって固定される場合に、ドッキング受け台５のトレイ７は、保護シェル１０２の雌入れ子１５７をその上に受け入れるためにほぼ正しく方向付けられたベース受け入れ器９の相補的雄入れ子付属品１５９を有して提示されることが予想される。これに代えて、保護カバー１００のシェル１０２とドッキング受け台５のトレイ７との間の磁気吸引のための１又は２以上の永久磁石１７８及び透磁性部材１８８が相補的な位置に配置される。例えば、ここに示すように、任意的な磁石１７８及び透磁性部材１８８が存在する場合に、ドッキング受け台トレイ７の回転は、保護カバー１００内の電子デバイス１を切り離し可能に磁気的に取り付けることによって可能である。選択された磁石１７８及び透磁性部材１８８の機能としての磁気吸引強度に応じて、ドッキング受け台５のトレイ７は、より極端な程度までドッキング受け台トレイ７を裏返して上下逆になるまででも保護カバー１００とドッキング受け台トレイ７の間の磁気吸引によってその中に十分に固定された電子デバイス１と共に傾けるか又は回転させることができ、シェルの接触器１２０の電気接点１２２は、電子デバイス１の作動のために十分に機械的かつ電気的にドッキングコネクタ３の電気接点１１に結合されたままである。
【０１０１】
限定ではなく例示的に示すように、鉄、ニッケル、コバルト、又は別の強磁性材料、又は合金のような鉄鋼材料、又は別の高透磁率強磁性材料の薄いシート又はプレートとしてそれぞれに具現化される１又は２以上の透磁性部材１８８は、ここで開示するように、ロケータダム１３２の雌ソケット受け入れ器１６６の凹んだ床１６８又は周囲のソケットリム１６４のいずれかに埋め込まれる（図示）。更に、１又は２以上の永久磁石１７８が、保護カバー１００の相補的雄付属品１５９に装着される。例えば、磁石１７８は、ドッキング受け台５に保護カバー１００を磁気的に固定するための透磁性部材１８８と協働するように保護シェル１０２の中央パネル１０４に埋め込まれる。
【０１０２】
これに代えて、磁石１７８及び透磁性部材１８８の相対的な位置は、本明細書に開示するように任意的に反転され、その場合に、１又は２以上の磁石１７８は、保護シェル１０２のロケータダム１３２の雌入れ子１５７にある磁石保持構造１８０内に配置され、１又は２以上の透磁性部材１８８は、ベース受け入れ器９の雄入れ子付属品１５９に隣接するトレイ７の作動面１５６内の相補的な位置に配置される。
【０１０３】
本明細書に開示するように、ソケット受け入れ器１６６の内部周囲移行壁１７０は、ドッキング受け台トレイ７の受け入れ器９内のドッキングコネクタ３に対して単体保護シェル１０２を積極的に位置決めするために、相補的に突出した雄入れ子付属品１５９の周囲移行壁１８４と協働する。
【０１０４】
更に、保護シェル１０２のロケータダム１３２が回転制御特徴部１７６を用いて形成された時に、ドッキング受け台５のトレイ７は、回転制御特徴部１７６に嵌合して保護シェル１０２とドッキング受け台トレイ７の間で回転の向きを制御するように協働する相補的な回転制御特徴部１８６を用いて形成することができる。
【０１０５】
図３３は保護カバー１００を示しており、相補的雄入れ子付属品１５９は、図１１に示すものと同様にベース受け入れ器９の雌入れ子１５７に受け入れられるように図６に示すものと同様に保護シェル１０２の側面スカート１０６内の位置決めインタフェースダム１３２として構成される。対照的にここでは、接触器１２０及びその接点１２２を含む位置決めインタフェースダム１３２は、本明細書に開示するように、保護シェル１０２の異なる側面スカート１０６内の位置で接触器１２０及びその接点１２２から離れてシェル１０２の空洞内に延びる雄プラグ１１６から離間している。
【０１０６】
雄入れ子付属品１５９の位置決めインタフェースダム１３２は、任意的に、変換アダプタ１１４の接触器１２０のいずれかの側に隣接した磁石保持構造１８０を有して形成され、それによって磁石１７８が接触器１２０に隣接して装着される。従って、保護カバー１００は、１又は２以上の透磁性部材１８８を有するドッキング受け台５のトレイ７と協働するように構成されるので、トレイ７に対する保護シェル１０２の磁気吸引は、本明細書に開示するように、雄入れ子付属品１５９が相補的な雌入れ子１５７内に装着された時に保護カバー１００をドッキング受け台５に固定するように作動する。
【０１０７】
図３４は、電子デバイス１がそこに設置された保護カバー１００を示している。ここでの保護カバー１００は、図３３に示す実施形態と類似しているが、雄入れ子付属品１５９の位置決めインタフェースダム１３２は、ここでは、それに代えて、鉄、ニッケル、コバルト、又は別の強磁性材料、又は合金のような鉄鋼材料、又は他の高透磁率強磁性材料の１又は２以上のシート又はプレートとして具現化された透磁性部材１８８を含む。例えば、透磁性部材１８８は、ドッキング受け台トレイ７のベース受け入れ器９に位置決めされた１又は２以上の磁石１７８と協働するように相補的な位置で保護シェル１０２の外面１２４上のロケータダム１３２に埋め込まれる。従って、雄入れ子付属品１５９が相補的な雌入れ子１５７内に装着されると、本明細書に開示するように、磁石１７８及び透磁性部材１８８は、電子デバイス１を収納した保護カバー１００をドッキング受け台５に固定するように協働する。
【０１０８】
図３５は、図３３の保護カバー１００を通して取った断面図であり、電気アダプタ１１４の雄プラグ１１６と接触器１２０とは、保護シェル１０２の側面スカート１０６の異なる区域内で離間している。図示のように、アダプタ１１４の本体１２８に埋め込まれた接触器１２０の電気接点１２２は、電気ケーブル、ワイヤ、トレース、又は他の導体１２６（明確にするためにその１つが示されている）を通してプラグ１１６の１又は２以上の電気コネクタ１１８に電気的に結合される。携帯電子デバイス１は、雌入力／出力ソケット２７が保護シェル１０２の一方の側１０２ａに隣接するスカート１０６にあるアダプタ１１４の雄プラグ１１６と係合した状態で、エラストマーシェル１０２の空洞１０８内に受け入れられる。
【０１０９】
位置決めインタフェースダム１３２は、単体保護シェル１０２の外面１２４に形成され、ロケータダム１３２内にアダプタの接触器１２０が更に凹設されて、雌入れ子１５７に取り付けるための相補的雄入れ子付属品１５９を形成する。ここで、ロケータダム１３２は、ドッキング受け台トレイ７のベース受け入れ器９にある透磁性部材１８８の磁気吸引のために磁石保持構造１８０内に配置された磁石１７８を含む。
【０１１０】
これに代えて、磁石１７８は、ドッキング受け台トレイ７のベース受け入れ器９にあり、協働する透磁性部材１８８は、保護シェル１０２の外側のロケータダム１３２内の接触器１２０の電気接点１２２に隣接している。
【０１１１】
図３６は、図３４の保護カバー１００を通して取った断面図であり、電気アダプタ１１４の雄プラグ１１６と接触器１２０とは、保護シェル１０２の側面スカート１０６の異なる区域内で離間している。図示のように、アダプタ１１４の本体１２８に埋め込まれた接触器１２０の電気接点１２２は、電気ケーブル、ワイヤ、トレース、又は他の導体１２６（明確にするためにその１つが示されている）を通してプラグ１１６の１又は２以上の電気コネクタ１１８に電気的に結合される。携帯電子デバイス１は、雌入力／出力ソケット２７が保護シェル１０２の一方の側１０２ａに隣接するスカート１０６にあるアダプタ１１４の雄プラグ１１６と係合した状態で、エラストマーシェル１０２の空洞１０８内に受け入れられる。
【０１１２】
位置決めインタフェースダム１３２は、単体保護シェル１０２の外面１２４に形成され、ロケータダム１３２内にアダプタの接触器１２０が更に凹設されて、雌入れ子１５７に取り付けるための相補的雄入れ子付属品１５９を形成する。ここでは、ロケータダム１３２は、これに代えて、本明細書に開示するように透磁性の強磁性部材１８８を含む。例えば、強磁性部材１８８は、本明細書に開示するように、ドッキング受け台トレイ７のベース受け入れ器９内の磁石１７８による吸引のために相補的な位置で保護シェル１０２の側面スカート１０６内のロケータダム１３２に埋め込まれる。
【０１１３】
図３７は、１又は２以上の強磁性部材１８８を含むドッキング受け台５内のベース受け入れ器９の雌入れ子１５７を示している。例えば、強磁性部材１８８は、ドッキングコネクタ３の付勢電気接点１１に隣接する位置に露出される。従って、例えば、図３３に示すように、シェル１０２の側面スカート１０６にある保護カバー１００の位置決めインタフェースダム１３２が、任意的に、接触器１２０のいずれかの側に隣接して装着された磁石１７８を有する場合に、強磁性部材１８８は磁石１７８と協働するように位置決めされるので、本明細書に開示するように、雄入れ子付属品１５９を相補的な雌入れ子１５７に取り付ける時にトレイ７に対する保護シェル１０２の磁力が作用して保護カバー１００をドッキング受け台５に固定する。ドッキングコネクタ３はまた、本明細書に開示するように任意的なガイドピン１７を含むことができ、それらは、電気アダプタ１１４の接触器１２０内で存在する場合に任意的な合わせガイドピン受け入れ器１３０に嵌合するようになっている。
【０１１４】
図３８は、代替ベース受け入れ器９の雌入れ子を示し、ここでは１又は２以上の磁石１７８が図３７に示す強磁性部材１８８の代わりに置き換えられている。例えば、磁石１７８は、ドッキングコネクタ３の付勢電気接点１１に隣接して位置決めされる。従って、例えば、図３４に示すように、シェル１０２の側面スカート１０６にある保護カバー１００の位置決めインタフェースダム１３２が、任意的に、接触器１２０のいずれかの側に隣接して装着された強磁性部材１８８を有する場合に、磁石１７８は強磁性部材１８８と協働するように位置決めされるので、本明細書に開示するように、雄入れ子付属品１５９を相補的な雌入れ子１５７に取り付ける時にトレイ７に対する保護シェル１０２の磁力が作用して保護カバー１００をドッキング受け台５に固定する。ドッキングコネクタ３はまた、本明細書に開示するように任意的なガイドピン１７を含むことができ、それらは、電気アダプタ１１４の接触器１２０内で存在する場合に任意的な合わせガイドピン受け入れ器１３０に嵌合するようになっている。
【０１１５】
図３９は、カバー１００に対する電気接点１２２の別の配置を示している。この配置では、２列に配置された１０個の電気接点１２２が存在する。図示の実施形態では、列は千鳥配置されているが、千鳥配置ではなく、列を互いに位置合わせさせることができることは認識されるであろう。ドッキング受け台５は、同数で同配置の電気接点１１を有することができるが、一部の実施形態では、ドッキング受け台は、カバー１００よりも少ないか又は多い接点を有することができる。
【０１１６】
少なくとも一部の実施形態では、異なるタイプの携帯電子デバイス１に対して異なるカバー１００を提供することができるが、電気接点１２２の配置は同じなので、適切なカバー１００を使用して様々な異なる携帯電子デバイス１（異なる製造業者のデバイスを含む）を同じドッキング受け台５に結合することができる。異なるカバー１００の導体１２６（アダプタ１１４の電気接点１２２を雄プラグ１１６の電気コネクタ１１８に接続する）の内部配置は、カバー１００に適合する携帯電子デバイス１のタイプに応じて異なるものとすることができることは理解されるであろう。更に、少なくとも一部の実施形態では、特に、カバー１００がそれに対して設計された携帯型電気デバイス１内に対応する接点がない場合に、電気接点１２２のうちの１又は２以上は、アダプタ１１４の対応する電気接点１１８に結合されない場合がある。
【０１１７】
図４１は、２つの千鳥配置の列に並んだ１２個の電気接点１２２の配置を示している。カバー１００は、２、３、４、５、６、７、８、９、１０、１２、１４、１６、１８、２０、又はそれを超える電気接点を含むがこれらに限定されないあらゆる数の電気接点１２２を含むことができることは理解されるであろう。電気接点１２２は、あらゆる規則的又は不規則なパターンに配置することができる。例えば、３つの電気接点は、直線、正三角形、二等辺三角形、直角三角形、又はあらゆる他の適切な配置に配置することができる。別の例として、電気接点１２２は、１列に、又は２又は３以上の列に（例えば、２、３、４、又は５以上の列に）配置することができ、その２又は３以上の列は、互いに位置合わせしているか又は千鳥配置であるものとすることができ、及び各列に同数又は異なる数の接点を有することができる。更に別の例として、電気接点１２２の一部又は全部を規則的又は不規則な多角形の頂点に配置することができる。例えば、５個の電気接点１２２を５角形の頂点に配置することができ、６個の電気接点１２２を６角形の頂点に配置することができ、８個の電気接点は、８角形の頂点に配置することができる。
【０１１８】
図３９及び図４１はまた、カバー１００のドッキング受け台５への正確な結合を容易にすることができる非対称形状を有するダム１３２を示している。ダム１３２は、非対称な位置決めインタフェースを定める。この場合に、ダム１３２は、真っ直ぐな第１の縁部１９１と、第１の縁部に対向する湾曲した第２の縁部１９２とを有する。ドッキング受け台５の雌入れ子１５７は、ダム１３２と類似の形状にすることができるので、カバー１００のダムは、ドッキング受け台の雌入れ子内に一方向に容易に単に嵌合する。カバーのこの非対称な位置決めインタフェースは、カバーのドッキング受け台５との正確な結合を容易にするので、電気接点１２２は、ドッキング受け台上の対応する接点と正確かつ確実に嵌合する。
【０１１９】
図４０は、アダプタ１１４の一部分を示し、雄プラグ１１６、電気接点１２２、磁石１７８（又は強磁性部材１８８）、及び本体１２８を含む。アダプタ１１４は、側面スカート１０６及びダム１３２をアダプタの各部分の周りに形成した状態でカバー１００内に位置決めされる。少なくとも一部の実施形態では、シェル１０２又はダム１３２の一部分はまた、図３９及び４１に示すように、電気接点１２２の一部分を露出させたままで本体１２８の面１９３及び磁石１７８を覆う。
【０１２０】
携帯電子デバイスのためのカバーはまた、周辺デバイスのための追加のポケットを含むことができる。図４２−４６は、携帯電子デバイス１及び周辺デバイス５０を受け入れることができるカバー１００の実施形態を示している。周辺デバイスの例は、プリンタ、スキャナ、カード読取器、磁気ストリップ読取器、ＲＦＩＤ読取器、ＮＦＣ読取器、スピーカ、バッテリ、カメラ、ライト、キーボード、ヒューマンインタフェースデバイス（例えば、マウス又はトラックボールなど）、医療デバイス（例えば、体温計、グルコースセンサ、血圧計、撮像装置、又はあらゆる他の適切な医療デバイス）、又はあらゆる他の適切な周辺デバイスを含む。周辺デバイスの他の例は、ＬＥＤ灯、ブラックライト、赤外線灯、レーザ、又はあらゆる他の点灯デバイス、又はそれらのあらゆる組合せを提供することができ、一般照明、夜間視野、ビデオ又は写真のための照明又は強調、信号伝達、ポインティング、測定、走査、位置合わせ、又はあらゆる他の機能又は用途又はそれらのあらゆる組合せを提供するのに使用することができる照明デバイスを含むことができる。このような照明デバイスは、例えば、モバイル電話又はスマートフォン、端末、コンピュータ、試験デバイス、又はタブレットなど、又はそれらのあらゆる組合せのようなカバー内のあらゆるデバイスと共に使用するように設計することができる。周辺デバイスの別の例は、例えば、センサ（例えば、温度、圧力、レベリング、角度、高度、光、密度、Ｘ線、磁場、加速度、速度、速度、距離、エネルギ、電流又はエネルギ流れ、力、デュロメータ、質量／重量、トルク、抵抗、キャパシタンス、電圧、又はリアクタンスなど、又はそれらのあらゆる組合せを検出するための）又は指紋読取器のようなツールデバイスとすることができる。
【０１２１】
カバー１００は、特定のタイプの周辺デバイスに対して設計することができ、又は複数タイプの周辺デバイスを収容することができる。これに加えて、図示の実施形態は、単一周辺デバイスをカバー内に含むことを可能にするが、他の実施形態は、カバー内の１又は２以上の周囲ポケットに複数（例えば、２、３、４、又は５以上）の周辺デバイスを含むことを可能にすることができる。
【０１２２】
カバー１００は、中央パネル１０４と、側面スカート１０６と、リップ１１０と、入口開口部１１２と、携帯電子デバイス１を受け入れるための内部空洞１０８とを有するシェル１０２を含む。これに加えて、カバー１００は、周辺デバイス５０を受け入れる周囲ポケットを形成する周囲空洞２０８を含む。周囲空洞２０８は、中央パネル１０４と、任意的に側面スカート１０６の一部又はカバー１００のあらゆる他の部分とを使用して形成することができる。周囲空洞２０８は、デバイス面２０５と１又は２以上の側面２０７とを定める。図示の実施形態では、周囲空洞２０８と内部空洞１０８は連続しており、図４４に示すように、入口開口部１１２及び内部空洞１０８を通して周辺デバイス５０を周囲空洞２０８に挿入することができる。次に、図４５に示すように、入口開口部を通して携帯電子デバイス１を内部空洞１１０に挿入することができる。代替実施形態では、カバー１００は周囲開口部（図示せず）を含むことができ、この開口部を通して周辺機器を周囲空洞２０８に挿入することができる。そのような実施形態では、周囲空洞２０８は、内部空洞１０８と連続しているものとすることができ、又は周囲空洞と内部空洞は、カバー１００の壁によって分離されているものとすることができる。
【０１２３】
雄プラグ１１６に加えて、カバー１００は、図４３に示すように周囲プラグ２１６を含む。周囲プラグ２１６は、周辺デバイス５０の入力／出力ソケット内に嵌合する。周囲プラグ２１６は、特定の周辺デバイスに対して設計することができ、又は複数の異なるデバイスに適するものとすることができる。例えば、周囲プラグ２１６（又は雄プラグ１１６又はその両方）は、それぞれ周辺デバイス５０内のＵＳＢポート又はマイクロＵＳＢポート内に嵌合するように設計されたＵＳＢプラグ又はマイクロＵＳＢプラグとすることができる。
【０１２４】
周囲プラグ２１６は、周辺デバイス５０内の接点に接続する１又は２以上の電気コネクタ２１８を含む。１又は２以上の電気コネクタ２１８は、カバー１００を通して延びる導体（図示せず）を使用して、カバー１００のアダプタ１１４の電気接点１２２に結合される。この配置を使用して、アダプタ１１４及び１又は２以上の電気コネクタ２１８を通して周辺デバイス５０に電力を供給することができる。少なくとも一部の実施形態では、周辺デバイス５０がアダプタを通して携帯電子デバイス１に電力、データ、又はその両方を提供するように、アダプタ１１４及び関連の導体を配置することができる。例えば、アダプタ１１４は、周囲プラグ２１６の電気コネクタ２１８と雄プラグ１１６の電気コネクタ１１８とをアダプタの同じ電気接点１２２に結合させることができるので、周辺デバイス５０は、アダプタを通して電力又はデータを携帯電子デバイス１に供給することができる。Ｂｌｕｅｔｏｏｔｈ（登録商標）及びＮＦＣなどのような周辺デバイス５０と携帯電子デバイス１の間でデータを共有するための別の機構があることは理解されるであろう。
【０１２５】
カバー１００は、カバーを通して周囲空洞２１８に入る１又は２以上の開口部１９４を含むことができる。これらの開口部１９４は、例えば、ジャック、スキャナ、プリンタ、又はセンサなどのような周辺デバイス５０の構成要素へのアクセスを可能にすることができる。同様に、カバー１００は、携帯電子デバイスの構成要素へのアクセスを可能にするために内部空洞１１８内へ通じる１又は２以上の開口部１９６を含むことができる。例えば、開口部１９６は、携帯電子デバイス１のカメラ、ヘッドホンジャック、スイッチ、スピーカ、又はマイクロフォンなどへのアクセスを可能にすることができる。少なくとも一部の実施形態では、カバーの開口部１９６の配置、数、及びサイズは、カバー１００がそれに対して設計される携帯電子デバイスのタイプに基づいて具体的に調整される。一部の実施形態では、カバー１００は、携帯電子デバイス１上のボタンと一致する位置でカバーに（例えば、側面スカート１０６に）形成されたソフトボタン１９８を含むことができる。ソフトボタン１９６は、例えば、ソフトボタンの配置を識別してソフトボタンの起動を容易にするために周囲にギザを付けたカバーの材料の一部とすることができる。ソフトボタン１９６は、ソフトボタンの起動によって下にある携帯電子デバイス１のボタンも起動されるように構成かつ配置される。このようなソフトボタン１９６は、携帯電子デバイス１上の電力、音量、及び他のボタンと一致する場合がある。本明細書に説明するカバーのいずれも、１又は２以上の開口部１９６、１又は２以上のソフトボタン１９８、又はそれらのあらゆる組合せを含むことができる。
【０１２６】
本明細書に説明するカバー１００のいずれも、図４３に示すように、カバー内又はカバー上に配置されたタグ要素１９９を含むことができる。タグ要素１９９は、例えば、カバー又はカバー内に配置されたデバイスを識別するのに使用することができるＲＦＩＤタグ又はＮＦＣタグとすることができる。タグ要素１９９は、カバー１００内に成形することができ、又はカバーの内面又は外面上に配置することができる。少なくとも一部の実施形態では、タグ要素１９９は、ユーザが携行することができるフォブ１９７又は他のタグ照会デバイスに関連付けることができ、それを使用して、カバー１００がフォブ又は他のタグ照会デバイスの範囲にあるか否かを決定するためにタグ要素１９９に無線で照会することができる。フォブ１９７はユーザによって起動され、カバー又は関連付けられた携帯電子デバイスを見つける時に支援することができる。これに代えて又はこれに加えて、フォブ１９７は、フォブがカバー１００からの閾値距離を超えた時に自動的に起動可能な可聴警報、振動警報、又はその両方を組み込んで、カバー１００及び関連付けられた携帯電子デバイスを置き忘れている（例えば、ドッキング受け台の上に置いたままにしている）ことをユーザに警告することができる。一部の実施形態では、ユーザは、フォブ１９７が可聴警報、振動警報、又はその両方を提供するか否かを選択することができる。一部の実施形態では、ユーザは、閾値距離をプログラムすることができる。
【０１２７】
図４７−４９は、ドッキング受け台５の追加の実施形態を示している。これらのドッキング受け台５は、トレイ７（図４９には示されない）及びカバー１００内の携帯電子デバイス１がその上に置かれるベース受け入れ器９を含む。図４７のドッキング受け台５は、クランプ１９及びアーム２１を含む。図４８のドッキング受け台５は、机、棚、サイドボード、又はテーブルなどのようなあらゆる安定した面に置くことができる独立型受け台である。図４９のドッキング受け台５は、壁又は他の面上に装着することができる。図４８は、携帯電子デバイス１としてモバイル電話又は他の比較的小型のデバイスを示している。図４９は、携帯電子デバイス１としてタブレット又は他の比較的大型のデバイスを示している。多くのドッキング受け台は、大型と小型両方の携帯電子デバイスを収容することができるが、別のドッキング受け台は、特定のサイズ又は特定範囲のサイズの携帯電子デバイスのために特別に設計される場合がある。
【０１２８】
図４８は、ドッキング受け台５を出るケーブル１５を示している。他の図示のドッキング受け台は、ケーブルを含むことができることは理解されるであろう。ケーブルは、ドッキング受け台から切り離し可能である場合があり、又はドッキング受け台に恒久的に取り付けられる場合がある。切り離し可能なケーブルを組み込む一部の実施形態では、ドッキング受け台は、ケーブルの端部を受け入れることができるＵＳＢポート又はマイクロＵＳＢポートのようなポートを含む。
【０１２９】
一部の実施形態では、ドッキング受け台は、電力、データ、又は他の信号をその受け台から携帯電子デバイスに提供するための電子構成要素を含むことができる。他の実施形態では、ドッキング受け台は、「通過」デバイスであり、そこでは、ドッキング受け台は、単に、携帯電子デバイスと充電器、コンピュータ、又は他の携帯電子デバイスなどのような別のデバイスとの中継ぎである。これらの実施形態では、ドッキング受け台を出るケーブルは、この別のデバイスに結合することができ、少なくとも一部の事例では、ドッキング受け台は、単にドッキング受け台の電子接点とケーブルとの間で信号を伝達するだけである。
【０１３０】
一部の実施形態では、硬質の（又は剛性の）シェルを可撓性カバー又はスキンと共に利用して、スキン内に配置された電子デバイスに対する追加の保護を提供することができる。図５０Ａ及び５０Ｂは、可撓性カバー又はスキン１００（説明のために網掛けされている）及び硬質の（又は剛性の）シェル５００の正面図と背面図である。電子デバイスは、上述のように可撓性カバー又はスキン１００内に配置されることになる。上述の可撓性カバーのいずれも、その特定カバーに適合するように修正したハードシェル５００を有する可撓性カバー又はスキン１００に対して使用することができる。
【０１３１】
ハードシェル５００は、例えば、ポリカーボネートなど、炭素繊維、金属、又は皮革など、又はそれらのあらゆる組合せといった硬質又は剛性のプラスチック材料で作ることができる。少なくとも一部の実施形態では、ハードシェル５００は、背面パネル５０４（図５０Ｂ）及びスカート５０６（図５０Ａ）を含み、それらは、カバー１００と共に空洞１０８と連通する入口開口部１１２を形成する。入口開口部１１２は、電子デバイスを空洞１０８内に受け入れるようなサイズに作られる。一部の実施形態では、背面パネル５０４は、カバー１００の背面部分全体を覆わない場合がある。一部の実施形態では、スカート５０６は、入口開口部１１２を完全には取り囲まない場合があり、入口開口部の一部分（例えば、９０％よりも多くない、７５％、５０％、４０％、又はそれ未満）の周りに単に延びる場合がある。
【０１３２】
図示の実施形態では、ハードシェル５００は、可撓性カバー又はスキン１００の各部分がそれを通してアクセス可能であるか又は突出する開口部を含む。例えば、ハードシェル５００は、カバー１００のアダプタ１１４の一部分（入れ子特徴部１５９又は接触器１２０など）がドッキング受け台又は他のデバイスへの結合のためにそれを通して突出するか又はアクセス可能である開口部５１４を含む。少なくとも一部の実施形態では、ハードシェル５００は、カバー１００のソフトボタン１９８（又は電子デバイスのボタン）へのアクセスを可能にするための又はカバー１００のソフトボタン１９８（又は電子デバイスのボタン）がそこから突出することができる１又は２以上のボタン開口部５９８を含む。少なくとも一部の実施形態では、ハードシェル５００は、カバー１００の可撓性を使用してコーナ保護を強化するために、カバー１００のコーナ部分１９５への突出を可能にする１又は２以上のコーナ開口部５９５を含むことができる。ハードシェル５００とカバー１００の両方は、携帯電子デバイスのカメラ、ヘッドホンジャック、スイッチ、スピーカ、又はマイクロフォンなどへのアクセスを可能にする開口部１９６を含むことができる。
【０１３３】
ハードシェル５００と可撓性カバー１００との組合せは、電子デバイスを位置合わせして支持することができる。更に、突出したコーナ部分１９５のような可撓性カバー１００の突出部分は、柔らかい緩衝器として機能して電子デバイスを保護することができる。
【０１３４】
代替実施形態では、電子デバイスは、ハードシェルに挿入することができ、次に、電子デバイス及びハードシェルは、上述の保護カバー１００のいずれか１つに挿入することができる。更に他の実施形態では、ハードシェルは、上述の保護カバー１００のいずれかに対する切り離し可能な（又は永久の）ライナとして提供することができる。これらの実施形態のハードシェルは、アダプタ１１４の雄プラグ１１６がそれを通して突出し、アダプタ１１４の雄プラグ１１６による電子デバイスの入力／出力ソケットへの接続を可能にする開口部を含むことになる。
【０１３５】
ドッキング受け台に代えて、携帯電子デバイス及びカバーは、外部アダプタに結合することができる。図５１Ａ−５１Ｄは、カバー１００（本明細書に説明するカバーのいずれかとすることができる）に配置された携帯電子デバイス１と、外部アダプタから延びるワイヤ又はケーブル６１５を有する外部アダプタ６００とを示している。図５１Ａでは、外部アダプタ６００は、カバー１００のアダプタ１１４に結合されている。図５１Ｂ−５１Ｄでは、外部アダプタ６００は、カバー１００のアダプタ１１４から切り離されている。少なくとも一部の実施形態では、外部アダプタ６００は、カバー１００のアダプタ１１４に結合するだけであり、かつアダプタ１１４及び任意的にアダプタ１１４に近接するカバーの各部分でカバー１００と単に接触することができる。外部アダプタ６００は、トレイを持たない場合がある。
【０１３６】
外部アダプタ６００は、カバー１００のアダプタ１１４の接触器１２０の接点１２２と嵌合するための複数の電気接点６１１（図５１Ｃ及び５１Ｄ）を有するハウジング６０２を有する。電気接点６１１は、電線又はケーブル６１５に電気的に結合される。一部の実施形態では、電線又はケーブル６１５は、外部アダプタ６００から切り離し可能である。一部の実施形態では、ケーブル６１５は、携帯電子デバイスと共に使用することができるあらゆるケーブルであり、かつ外部アダプタ６００上の対応するレセプタクル内に嵌合するプラグを含む。
【０１３７】
少なくとも一部の実施形態では、アダプタ１１４及び外部アダプタ６００は、ドッキング受け台５に関して上述した磁気吸引カップルの構成要素を含む。これに代えて又はこれに加えて、外部アダプタ６００及びアダプタ１１４は、外部アダプタ６００をカバー１００に確実に取り付けるために他の結合要素を含むことができる。上述のドッキング受け台も、これらの結合要素のいずれかを含むことができることは理解されるであろう。
【０１３８】
少なくとも一部の実施形態では、外部アダプタ６００は、アダプタ１１４の戻り止め１４１と係合可能な少なくとも１つの隆起要素６４０を結合要素として含む。図５１Ａ−５１Ｄに示す実施形態では、外部アダプタ６００は、互いに対向する２つの隆起要素６４０を含み、アダプタ１１４は、その対向する面上に２つの戻り止め１４１（そのうちの１つは示されていない）を含む。少なくとも一部の実施形態では、隆起要素６４０は、アダプタ１１４との係合の前にアダプタ１１４の対応する幅より狭く離間しているので、戻り止め１４１と係合した時に、２つの隆起要素（及び外部アダプタ６００）は、戻り止め要素１４１からの隆起要素６４０の分離に抵抗するアダプタ１１４との圧縮嵌めを形成する。
【０１３９】
少なくとも一部の実施形態では、外部アダプタ６００は、片持ち梁又は他の配置で隆起要素６４０の１つから延びる１つのタブ６４２（又は各タブが隆起要素の異なる方から延びる２つのタブ）を更に含むので、ユーザは、タブを押して隆起要素を戻り止め１４から解除することができ、従って、外部アダプタ６００をカバー１００のアダプタ１１４から切り離すことができる。他の係合解除方法又は機構を使用することもできる。他の実施形態では、カバーは少なくとも１つの隆起要素（及び任意的なタブ）を含むことができ、外部アダプタは少なくとも１つの戻り止めを含むことができることは理解されるであろう。
【０１４０】
少なくとも一部の実施形態では、外部アダプタ６００は、結合要素として１又は２以上の把持部材６４４を含むことができ、把持部材６４４は、外部アダプタ６００の残りの部分から離れて延び、外部アダプ６００がアダプタ１１４に係合する時にアダプタ１１４に圧縮又は摩擦把持を形成するように配置される。この圧縮又は摩擦把持は、外部アダプタのアダプタ１１４からの分離に抵抗するが、ユーザが外部アダプタ６００及びアダプタ１１４を引き離す際に切り離し力の行使によって克服されるものとすることができる。図５１Ａ−５１Ｄに示す実施形態は、２つの対向する把持部材６４４を含むが、他の実施形態では、外部アダプタ６００の周りに配置された２よりも多い把持部材、又は外部アダプタ６００の周囲全体（又はその一部）に形成された単一把持部材を利用することができることは認識されるであろう。少なくとも一部の実施形態では、把持部材６４４は、アダプタ１１４の対応する部分の形状に適合するように成形することができる。例えば、図４１のアダプタは、真っ直ぐな第１の縁部１９１と、第１の縁部に対向する湾曲した第２の縁部１９２とを有するので、把持部材６４４は、一方が真っ直ぐな第１の縁部１９１に適合し、他方が湾曲した第２の縁部１９２に適合する形状を有するように成形することができる。外部アダプタ（又はドッキング受け台）は、隆起要素６４０及び把持部材６４４の一方又は両方を含むことができることは認識されるであろう。
【０１４１】
図５２Ａ−Ｆは、携帯電子デバイス１をカバー１００（図５２Ｅ及び５２Ｆ）に受け入れるための可動アーム４３を有するドッキング受け台５の一実施形態を示している。可動アーム４３に加えて、ドッキング受け台５は、上述の実施形態のいずれかに説明されるような電気接点を有するドッキングコネクタ３、トレイ７、ベース受け入れ器９、及びワイヤ又はケーブル１５を含む。少なくとも一部の実施形態では、可動アーム４３は、携帯電子デバイス１（図５２Ｅ及び５２Ｆ）の縁部（例えば、上縁）にわたって適合する前方延長部４５を含み、携帯電子デバイス１の前面に接触してドッキング受け台との係合を維持するのを助けるリップ４７を含むことができる。
【０１４２】
可動アーム４３は、延長位置（図５２Ａ及び５２Ｂ）から近接位置（図５２Ｃ及び５２Ｄ）へ、及び可動アーム４３が携帯電子デバイス１及びカバー１００と係合してこれらの構成要素のドッキング受け台５に対する係合を維持する係合位置（図５２Ｅ及び５２Ｆ）のようなあらゆる中間位置へ移動することができる。
【０１４３】
図５２Ａ−Ｆに示す実施形態では、可動アーム４３は、図５２Ｃ及び５２Ｄの近接位置に向けて付勢されたバネ７５０（図５２Ｂ、５２Ｄ、５２Ｆ）に結合される。バネ７５０の代わりにラチェット配置のような他の機械的配置を使用することができることは理解されるであろう。バネ７５０は、携帯電子デバイス１及びカバー１００のドッキング受け台５からの不用意な係合解除に抵抗する（図５２Ｅ及び５２Ｆに示すように）。ユーザは、可動アーム４３をトレイ７から離れるように延ばして、携帯電子デバイスをトレイ上に置くことができ、それに続いて可動アームを解除し、可動アームを携帯電子デバイスと係合させてデバイスをドッキング受け台上に保持する。ユーザは、可動アームを携帯電子デバイス、カバー、及びトレイ７から離れるように延ばして携帯電子デバイス及びカバーを解除することにより、携帯電子デバイス１及びカバー１００をドッキング受け台５から解除することができる。
【０１４４】
図５３は、図４８及び４９のドッキング受け台と類似したドッキング受け台５の別の例を示している。ドッキング受け台５は、トレイ７とカバー１００内の携帯電子デバイス１がその上に置かれるベース受け入れ器９とを含む。トレイ７は、カバー１００の背面を支持する背面支持面１０１と、背面支持面から延びるドッキング支持面１０３とを含む（例えば、図３、４、３７、及び４７にも示されている）。少なくとも一部の実施形態では、背面支持面１０１及びドッキング支持面１０３は、９０から１３０度の範囲内又は９０から１２０度の範囲内又は９０から１００度の範囲内の又は９０度に等しい角度を形成する。
【０１４５】
ドッキング受け台５は、図示の例では雌コネクタであるドッキングコネクタ３を含む。ドッキングコネクタ３は接点１１を含み、その接点１１は、例えば、付勢ピン又は付勢板バネのような付勢接点又はあらゆる他の適切なタイプの接点とすることができる。ドッキングコネクタ３はまた、図５３に示すように、ドッキング支持面に対して凹設することができるリム１０５を含む。少なくとも一部の実施形態では、リム１０５及びドッキングコネクタ３は、図５３に示すように、真っ直ぐな辺とその真っ直ぐな辺に対向する湾曲した辺とを有する細長Ｄ字形のような非対称であるものとすることができる。そのような配置は、カバーがドッキング受け台に嵌合した時の適正な位置合わせを容易にすることができる。
【０１４６】
図５３のドッキング受け台５は、机、棚、サイドボード、又はテーブルなどのようなあらゆる安定した面に置くことができる独立型受け台である。図５４Ａ−５４Ｂは、複数の背面支持面１０１と、ハウジング１０７に形成された１又は２以上のドッキング支持面１０３を有する複数のドッキングコネクタ３とを有する別のドッキング受け台３を示している。それによってカバー１００内の複数の電子デバイス１をドッキング受け台３にドッキングさせることができる。別のデバイスへの取り付けのために、１又は２以上のケーブル（図示せず）又はコネクタ１０９をドッキング受け台から延長することができ、その場合に、ドッキング受け台は、単に、携帯電子デバイスと、充電器、コンピュータ、又は他の携帯電子デバイスなどのような別のデバイスとの中継ぎである。これらの実施形態では、ドッキング受け台を出るケーブル又はコネクタは、この別のデバイスに結合させることができる。本明細書に開示するドッキング受け台のいずれのドッキングコネクタも、上述の磁気結合配置を利用することができ、上述のように１又は２以上のガイドピンを含むことができることは理解されるであろう。
【０１４７】
図５５Ａは、アダプタ８１４の一部分を示し、かつ雄プラグ８１６、電気接点８２２、磁石８７８（又は強磁性部材）、及び本体８２８を含む。アダプタ８１４は、アダプタ１１４のいずれにも代わるものとして、本明細書に説明するカバーのいずれにも使用することができる。アダプタ８１４は、図５５Ｂに示すように、側面スカートとアダプタ１１４の各部分の周りに形成されたダム１３２とを有してカバー１００内に位置決めされる。少なくとも一部の実施形態では、シェル１０２又はダム１３２の一部分はまた、図３９及び４１に示す実施形態と同様に電気接点８２２の一部分を露出させたままで、本体８２８の面８９３及び磁石８７８を覆う。
【０１４８】
上述のように、電気接点８２２は、導体（上述の導体１２６を参照）によってプラグ８１６の電気コネクタに電気的に結合されている。プラグ及び導体の利用可能な配置は、カバー１００のシェル１０２と共に形成するのに使用される高圧射出成形工程には一般的に適していないことが判明している。そのような工程では、アダプタ８１４は、モールド内に置かれたインサートであり、カバー１００のシェル１０２は、アダプタの周りに成形される。シェル１０２を形成するプラスチックは、アダプタ８１４内の開口部に入り込む場合があり、成形工程の高圧により導体を破損又は損傷させる可能性があり、更に存在する場合にコネクタの内部領域を埋めて、携帯電子デバイスの対応する雌コネクタとの嵌合を妨げる場合がある。
【０１４９】
従って、アダプタ８１４は、導体１２６の周りに配置されてプラグ８１６がそこから延びる密封ハウジング８７５を含む。密封ハウジング８７５は、導体を閉じ込めるアダプタの部分の周りに低圧射出成形によって形成することができ、本体８２８及びプラグ８１６との比較的緊密な密封を形成し、シェル１０２を形成する高圧射出成形工程中にこれらの構成要素間の材料の流れを低減又は防止する。
【０１５０】
図５７Ａ及び５７Ｂは、図４２−４６に示すカバー１００の実施形態の代替として、携帯電子デバイス１（図４５）及び周辺デバイス５０（図４４）を受け入れることができるカバーの別の実施形態９００を示している。特に指示のない限り、カバー９００は、図４２−４６に示すカバー１００又は本明細書に説明するあらゆる他のカバー１００に関して説明した特徴のいずれか又は全てを含むことができる。
【０１５１】
カバー９００は、中央パネル９０４と、側面スカート９０６と、リップ９１０と、入口開口部９１２と、携帯電子デバイスを受け入れるための内部空洞９０８とを有するシェル９０２を含む。これに加えて、カバー９００は、周辺デバイス５０を受け入れるための周囲ポケットを形成する周囲空洞９０９を含む。周囲空洞９０９は、中央パネル９０４と、任意的に側面スカート９０６の一部分又はカバー９００の他の部分とを使用して形成することができる。周囲空洞９０９は、デバイス面９０５と１又は２以上の側面９０７とを定める。図示の実施形態では、周囲空洞９０９と内部空洞９０８は連続しており、入口開口部９１２及び内部空洞９０８を通して周辺デバイス５０を周囲空洞９０９に挿入することができる。上述のように、他の実施形態では、周辺デバイスは、異なる開口部（すなわち、周囲開口部）を通して挿入することができる。周囲開口部は、中央パネル９０４内に又は側面スカート９０６の４側面のうちのいずれか１つ又は２以上に沿って位置決めすることができる。同じく上述のように、一部の実施形態では、カバーは、１よりも多い周辺機器を受け入れることができる。
【０１５２】
雄プラグ９１６に加えて、カバー９００は、周囲プラグ９１７を含む。周囲プラグ９１７は、周辺デバイスの入力／出力ソケット内に嵌合する。周囲プラグ９１７は、特定の周辺デバイスに対して設計することができ、又は複数の異なるデバイスに適する場合がある。
【０１５３】
図５７Ａ及び５７Ｂは、雄プラグ９１６と周囲プラグ９１７の両方、並びに本体９２８、電気接点９２２、及び磁石９７８（又は強磁性部材）、及び本体９２８を含むアダプタ９１４の一部分の一実施形態を示している。電気接点９２２及び磁石９７８は、本体に取り付けられ、雄プラグ９１６は、本体を通過して雄プラグ９１６を電気接点９２２に結合させる導体を使用して本体に結合される。
【０１５４】
アダプタ９１４はまた、本体９２８に取り付けられたブリッジ９２９を含む。ブリッジ９２９は、周囲プラグ９１７の電気コネクタを電気接点９２２に結合させる導体（例えば、ワイヤ又は導電トレースなど）をその上に有する担体９３１を含有する。一部の実施形態では、ブリッジ９２９の導体は、本体９２８を通して露出する電気接点９２２の各部分に直接に取り付けられ、又はその導体は、導電ビア、ワイヤ、又はトレースを通して電気接点９２２に結合させることができる。少なくとも一部の実施形態では、担体９３１は、カバー９００のシェル９０２の高圧射出成形に耐えるために厚みが少なくとも０．４ｍｍである。より薄い担体は、射出成形工程中に粉々になる場合がある。周囲プラグ９１７は、周辺デバイス内の接点に接続する１又は２以上の電気コネクタを含む。この配置を使用して、アダプタ９１４を通して周辺デバイスに電力を供給することができる。少なくとも一部の実施形態では、周辺デバイスがアダプタ９１４を通して携帯電子デバイスに電力、データ、又はその両方を提供するようにアダプタ９１４及び関連の導体を配置することができる。少なくとも一部の実施形態では、雄プラグ９１６と周囲プラグ９１７の両方は、上述のようにカバー９０１のシェル９０２を形成するための高圧射出成形工程に対してプラスチック材料の流入を防止又は低減するために、上述の密封ハウジング９７５、９７７を含むことができる。
【０１５５】
本発明の好ましい実施形態及び追加の代替実施形態を図示して説明したが、本発明の精神及び範囲から逸脱することなくそこに様々な変更を行うことができることは認められるであろう。従って、本発明の精神及び範囲から逸脱することなくそこに様々な変更を行うことができることは認められるであろう。従って、本発明者は、以下の請求を行うものである。
【符号の説明】
【０１５６】
１００  カバー
１１２  入口開口部
１１４  アダプタ
１５９  雄入れ子付属品
５９５  コーナ開口部
【図１】
0006625672.tif 000002
【図２】
0006625672.tif 000003
【図３】
0006625672.tif 000004
【図４】
0006625672.tif 000005
【図５】
0006625672.tif 000006
【図６】
0006625672.tif 000007
【図７】
0006625672.tif 000008
【図８】
0006625672.tif 000009
【図９】
0006625672.tif 000010
【図１０】
0006625672.tif 000011
【図１１】
0006625672.tif 000012
【図１２】
0006625672.tif 000013
【図１３】
0006625672.tif 000014
【図１４】
0006625672.tif 000015
【図１５】
0006625672.tif 000016
【図１６】
0006625672.tif 000017
【図１７】
0006625672.tif 000018
【図１８】
0006625672.tif 000019
【図１９】
0006625672.tif 000020
【図２０】
0006625672.tif 000021
【図２１】
0006625672.tif 000022
【図２２】
0006625672.tif 000023
【図２３】
0006625672.tif 000024
【図２４】
0006625672.tif 000025
【図２５】
0006625672.tif 000026
【図２６】
0006625672.tif 000027
【図２７】
0006625672.tif 000028
【図２８】
0006625672.tif 000029
【図２９】
0006625672.tif 000030
【図３０】
0006625672.tif 000031
【図３１】
0006625672.tif 000032
【図３２】
0006625672.tif 000033
【図３３】
0006625672.tif 000034
【図３４】
0006625672.tif 000035
【図３５】
0006625672.tif 000036
【図３６】
0006625672.tif 000037
【図３７】
0006625672.tif 000038
【図３８】
0006625672.tif 000039
【図３９】
0006625672.tif 000040
【図４０】
0006625672.tif 000041
【図４１】
0006625672.tif 000042
【図４２】
0006625672.tif 000043
【図４３】
0006625672.tif 000044
【図４４】
0006625672.tif 000045
【図４５】
0006625672.tif 000046
【図４６】
0006625672.tif 000047
【図４７】
0006625672.tif 000048
【図４８】
0006625672.tif 000049
【図４９】
0006625672.tif 000050
【図５０Ａ】
0006625672.tif 000051
【図５０Ｂ】
0006625672.tif 000052
【図５１Ａ】
0006625672.tif 000053
【図５１Ｂ】
0006625672.tif 000054
【図５１Ｃ】
0006625672.tif 000055
【図５１Ｄ】
0006625672.tif 000056
【図５２Ａ】
0006625672.tif 000057
【図５２Ｂ】
0006625672.tif 000058
【図５２Ｃ】
0006625672.tif 000059
【図５２Ｄ】
0006625672.tif 000060
【図５２Ｅ】
0006625672.tif 000061
【図５２Ｆ】
0006625672.tif 000062
【図５３】
0006625672.tif 000063
【図５４Ａ】
0006625672.tif 000064
【図５４Ｂ】
0006625672.tif 000065
【図５５Ａ】
0006625672.tif 000066
【図５５Ｂ】
0006625672.tif 000067
【図５６Ａ】
0006625672.tif 000068
【図５６Ｂ】
0006625672.tif 000069
【図５７Ａ】
0006625672.tif 000070
【図５７Ｂ】
0006625672.tif 000071